(57)【要約】【課題】携帯性を確保し、且つ、撮影範囲を確保すること。【解決手段】開口部を有する筐体２と、開口部に配置された媒体Ｐを撮像する撮像部を保持する外部装置保持部と、角度保持機構２１１、２１２とを備え、筐体２は、開状態と折り畳み状態とに切り替え可能になっており、２つの連結カバー部３０は、２つの傾斜カバー部２０が折り畳み状態のときに、傾斜カバー部２０に対して変形し、角度保持機構２１１、２１２は、筐体２が開状態のときに、２つの傾斜カバー部２０の開口部１１側の端部が離間するように２つの傾斜カバー部２０を保持する。【選択図】図３１
2017138510.tif 000002
【特許請求の範囲】
【請求項１】
環境光を遮断し、且つ、底面に開口部を有する筐体と、
前記開口部において前記筐体内部に露出する媒体を撮像する撮像部と、
前記筐体内部に配置され、前記開口部に向かって光を前記開口部における水平面の異なる領域に照射する複数の光源と、
を備え、
前記開口部は、矩形状に形成され、
前記筐体は、前記開口部の辺に対応するカバー部を少なくとも４つ有すると共に、４つの前記カバー部において互いに対向する２組の前記カバー部のうち１組の前記カバー部は、前記開口部が位置する側から反対側の端部側に向かって前記カバー部同士が近付く方向に傾斜する傾斜カバー部になっており、
他の１組の前記カバー部は、２つの前記傾斜カバー部同士を連結する連結カバー部になっており、
２つの前記傾斜カバー部は、一方の前記傾斜カバー部が、前記開口部が位置する側の反対側の端部側を基準として他方の前記傾斜カバー部に対して相対的に移動することにより、双方の前記傾斜カバー部における前記開口部側の端部が離間する開状態と、双方の前記傾斜カバー部同士が平行な向きになって隣接する折り畳み状態とに切り替え可能になっており、
２つの前記連結カバー部は、前記傾斜カバー部に対して変形自在に連結されており、２つの前記傾斜カバー部が前記折り畳み状態のときには、前記傾斜カバー部に対して変形することにより、前記傾斜カバー部同士の間に入り込み、
２つの前記傾斜カバー部が前記開状態のときに、双方の前記傾斜カバー部における前記開口部側の端部が離間するように双方の前記傾斜カバー部を保持する角度保持機構
をさらに備える画像読取装置。
【請求項２】
前記連結カバー部は、１つの前記連結カバー部が、互いに回動自在に連結される複数の回動部材を有して構成されており、２つの前記傾斜カバー部が折り畳み状態のときに前記傾斜カバー部に対して変形することによって前記傾斜カバー部同士の間に入り込む際には、前記回動部材同士が相対的に回動することにより、２つの前記傾斜カバー部に対して平行な向きになり、
前記角度保持機構は、２つの前記傾斜カバー部が前記開状態のときに、前記複数の回動部材を互いに固定する請求項１に記載の画像読取装置。
【請求項３】
前記角度保持機構は、２つの前記傾斜カバー部が前記開状態のときに、前記複数の回動部材が互いに固定されるように前記複数の回動部材に磁力を与える磁石を有する請求項２に記載の画像読取装置。
【請求項４】
２つの前記連結カバー部のうちの他の前記連結カバー部は、互いに回動自在に連結される他の複数の回動部材を有して構成されており、２つの前記傾斜カバー部が折り畳み状態のときに、前記傾斜カバー部に対して変形することによって前記傾斜カバー部同士の間に入り込む際には、前記他の複数の回動部材同士が相対的に回動することにより、２つの前記傾斜カバー部に対して平行な向きになり、
２つの前記傾斜カバー部が前記開状態のときに、前記他の複数の回動部材を互いに固定することにより、双方の前記傾斜カバー部における前記開口部側の端部が離間するように双方の前記傾斜カバー部を保持する他の角度保持機構
をさらに備える請求項２または請求項３に記載の画像読取装置。
【請求項５】
環境光を遮断し、且つ、開口部を有する筐体と、
前記開口部に配置される媒体を撮像する撮像部を保持する外部装置保持部と、
前記筐体内部に配置され、前記媒体を照明する複数の光源と、
を備え、
前記筐体は、前記開口部の辺に対応するカバー部を少なくとも４つ有すると共に、４つの前記カバー部において互いに対向する２組の前記カバー部のうち１組の前記カバー部は、前記開口部が位置する側から反対側の端部側に向かって前記カバー部同士が近付く方向に傾斜する傾斜カバー部になっており、
他の１組の前記カバー部は、２つの前記傾斜カバー部同士を連結する連結カバー部になっており、
２つの前記傾斜カバー部は、一方の前記傾斜カバー部が、前記開口部が位置する側の反対側の端部側を基準として他方の前記傾斜カバー部に対して相対的に移動することにより、双方の前記傾斜カバー部における前記開口部側の端部が離間する開状態と、双方の前記傾斜カバー部同士が平行な向きになって隣接する折り畳み状態とに切り替え可能になっており、
２つの前記連結カバー部は、前記傾斜カバー部に対して変形自在に連結されており、２つの前記傾斜カバー部が前記折り畳み状態のときには、前記傾斜カバー部に対して変形し、
２つの前記傾斜カバー部が前記開状態のときに、双方の前記傾斜カバー部における前記開口部側の端部が離間するように双方の前記傾斜カバー部を保持する角度保持機構
をさらに備えることを特徴とする画像読取補助装置。
【発明の詳細な説明】
【技術分野】
【０００１】
本発明は、画像読取装置および画像読取補助装置に関する。
【背景技術】
【０００２】
撮像装置によって被写体を撮像する場合、被写体で反射した光を撮像装置で受光することにより撮像をするが、被写体で正反射した光や、被写体以外で反射した光を撮像装置で受光した場合、被写体を適切に撮像することができなくなることがある。このため、従来の撮像装置の中には、撮像装置における受光レンズの周囲をレンズフードで覆うことにより、被写体を適切に撮像するための光以外の光を、撮像装置で受光しないようにしているものがある（例えば、特許文献１参照）。また、レンズフードのような、受光レンズの周囲を覆う遮光部材は、大きさが大きくなりがちであるため、撮像装置が持ち運び可能な大きさの場合であっても、遮光部材の携帯性が低下することがある。このため、特許文献１に記載されたレンズフードは、携帯性も確保するため、折り畳みが可能になっている。
【先行技術文献】
【特許文献】
【０００３】
【特許文献１】特開２０１２−４２９０２号公報
【発明の概要】
【発明が解決しようとする課題】
【０００４】
ここで、紙媒体等に印刷された画像等を撮像して画像を読み取ることを目的として媒体を撮像する場合でも、媒体の周囲から媒体に照射された光を媒体で反射し、この光を撮像装置で受光することにより、媒体等の画像を読み取る。このように媒体を撮像することによって画像を読み取る場合、画像の質が求められることがあるが、環境光によって媒体を撮像する場合には、環境光の光量や光の色、光の向き等によって、読み取った画像の質が異なることがある。このため、遮光部材を含めた、画像を読み取るための装置全体の携帯性を確保し、且つ、撮像装置により撮影される撮影範囲を適切に確保して画像を読み取るのは、大変困難なものとなっていた。
【０００５】
開示の技術は、上記に鑑みてなされたものであって、携帯性を確保し、且つ、撮影範囲を確保する画像読取装置および画像読取補助装置を提供することを目的とする。
【課題を解決するための手段】
【０００６】
開示の態様では、画像読取装置は、環境光を遮断し、且つ、底面に開口部を有する筐体と、前記開口部において前記筐体内部に露出する媒体を撮像する撮像部と、前記筐体内部に配置され、前記開口部に向かって光を前記開口部における水平面の異なる領域に照射する複数の光源と、を備え、前記開口部は、矩形状に形成され、前記筐体は、前記開口部の辺に対応するカバー部を少なくとも４つ有すると共に、４つの前記カバー部において互いに対向する２組の前記カバー部のうち１組の前記カバー部は、前記開口部が位置する側から反対側の端部側に向かって前記カバー部同士が近付く方向に傾斜する傾斜カバー部になっており、他の１組の前記カバー部は、２つの前記傾斜カバー部同士を連結する連結カバー部になっており、２つの前記傾斜カバー部は、一方の前記傾斜カバー部が、前記開口部が位置する側の反対側の端部側を基準として他方の前記傾斜カバー部に対して相対的に移動することにより、双方の前記傾斜カバー部における前記開口部側の端部が離間する開状態と、双方の前記傾斜カバー部同士が平行な向きになって隣接する折り畳み状態とに切り替え可能になっており、２つの前記連結カバー部は、前記傾斜カバー部に対して変形自在に連結されており、２つの前記傾斜カバー部が前記折り畳み状態のときには、前記傾斜カバー部に対して変形することにより、前記傾斜カバー部同士の間に入り込む。前記筐体は、２つの前記傾斜カバー部が前記開状態のときに、双方の前記傾斜カバー部における前記開口部側の端部が離間するように双方の前記傾斜カバー部を保持する角度保持機構をさらに有している。
【発明の効果】
【０００７】
開示の態様によれば、画像読取装置および画像読取補助装置は、携帯性を確保し、且つ、撮影範囲を確保することができる、という効果を奏する。
【図面の簡単な説明】
【０００８】
【図１】図１は、実施形態１に係る画像読取装置の外観図である。
【図２】図２は、実施形態１に係る画像読取装置の使用状態を示す図である。
【図３】図３は、図１に示す筐体の斜視図である。
【図４】図４は、図３のＡ−Ａ矢視図である。
【図５】図５は、図３のＢ−Ｂ断面図である。
【図６】図６は、図５のＣ−Ｃ断面図である。
【図７】図７は、図３に示す筐体の分解斜視図である。
【図８】図８は、図７のＤ−Ｄ断面図である。
【図９】図９は、図１に示す画像読取装置の機能ブロック図である。
【図１０】図１０は、図１に示す画像読取装置で画像を読み取る場合の説明図である。
【図１１】図１１は、撮像部で撮像した画像データを合成する際の説明図である。
【図１２】図１２は、実施形態１に係る画像読取装置で読取動作を行う際における外部装置での処理手順を示すフロー図である。
【図１３】図１３は、実施形態１に係る画像読取装置で読取動作を行う際における筐体での処理手順を示すフロー図である。
【図１４】図１４は、実施形態１に係る画像読取装置の読取動作を行う際における画像処理についての処理手順を示すフロー図である。
【図１５】図１５は、折り畳んだ状態の筐体の側面図である。
【図１６】図１６は、図１５に示す筐体の斜視図である。
【図１７】図１７は、実施形態２に係る画像読取装置の斜視図である。
【図１８】図１８は、図１７のＥ−Ｅ矢視図である。
【図１９】図１９は、図１７に示す第２傾斜カバー部の分解斜視図である。
【図２０】図２０は、図１７に示す第２傾斜カバー部の長さを短くする場合の説明図である。
【図２１】図２１は、図２０に示す傾斜カバー部を折り畳み状態にする際の説明図である。
【図２２】図２２は、図２１に示す傾斜カバー部を折り畳み状態にした場合の説明図である。
【図２３】図２３は、実施形態１に係る画像読取装置の変形例を示す説明図であり、回動軸が１つの場合における筐体の斜視図である。
【図２４】図２４は、図２３のＦ−Ｆ矢視図である。
【図２５】図２５は、実施形態１に係る画像読取装置の変形例を示す説明図であり、連結カバー部が４つの回動部材を有して構成されている場合の説明図である。
【図２６】図２６は、実施形態１に係る画像読取装置の変形例を示す説明図であり、連結カバー部が軟質部材によって構成されている場合の説明図である。
【図２７】図２７は、実施形態１に係る画像読取装置の変形例を示す説明図であり、光源を点光源で構成する場合における説明図である。
【図２８】図２８は、図２７のＧ−Ｇ断面図である。
【図２９】図２９は、実施形態１に係る画像読取装置の変形例を示す説明図であり、光源を回動カバー部に設ける場合における説明図である。
【図３０】図３０は、図２９のＨ−Ｈ断面図である。
【図３１】図３１は、実施形態３の画像読取補助装置を示す下面図である。
【図３２】図３２は、第１回動部材を示す図である。
【図３３】図３３は、第２回動部材を示す図である。
【図３４】図３４は、比較例の画像読取補助装置を示す下面図である。
【図３５】図３５は、実施形態４の画像読取補助装置の角度保持機構を示す斜視図である。
【図３６】図３６は、図３５の角度保持機構を示す断面図である。
【図３７】図３７は、図３５の角度保持機構を示す側面図である。
【図３８】図３８は、折り畳み状態に切り替えられたときの図３５の角度保持機構を示す斜視図である。
【図３９】図３９は、実施形態５の画像読取補助装置を示す側面図である。
【図４０】図４０は、ロック機構を示す下面図である。
【発明を実施するための形態】
【０００９】
以下に、本発明に係る画像読取装置の実施形態を図面に基づいて詳細に説明する。なお、この実施形態によりこの発明が限定されるものではない。また、下記実施形態における構成要素には、当業者が置換可能、且つ、容易なもの、或いは実質的に同一のものが含まれる。
【００１０】
〔実施形態１〕
図１は、実施形態１に係る画像読取装置の外観図である。図２は、実施形態１に係る画像読取装置の使用状態を示す図である。実施形態１にかかる画像読取装置１は、手で持ち運べるサイズであり、図１、図２に示すように、媒体Ｐを撮像部７０で撮像することで、媒体Ｐに対応する画像データを生成するものである。本実施形態１における画像読取装置１は、銀塩写真や印刷写真がまとめられた写真帳を媒体Ｐとし、写真帳内の写真単体を読取対象領域Ｐｔとして読み取り、写真帳内の写真単体に対応する画像データを生成するものである。
【００１１】
なお、本実施形態１における画像読取装置１の使用用途は、上記に限定されるものではなく、光沢を有する紙（銀塩写真単体や印刷写真単体、雑誌など）に対応する画像データを生成する場合のみならず、普通紙状の画像などユーザーが画像データを生成したいいずれの媒体についても使用することができる。
【００１２】
画像読取装置１は、図１に示すように、筐体２と、外部装置３とを含んで構成されている。このうち、外部装置３は、被写体を撮像する撮像部７０と、任意の情報を表示する表示部７１と、を有している。これらの撮像部７０と表示部７１とは、外部装置３における互いに反対方向になる面に設けられている。即ち、撮像部７０は、外部装置３において表示部７１が設けられている面の反対側の面に設けられている。この外部装置３は、画像読取装置１としての機能に対応する読取アプリケーションが予めインストールされたり、或いは記録媒体から読み込まれて（ダウンロードも含む）インストールされたりすることによって用いられる。本実施形態１における外部装置３は、例えば、電話機能、インターネット接続機能などを有するスマートフォン、タブレットなどの携帯端末になっており、その一部の機能として、画像読取装置１としての機能を有している。
【００１３】
筐体２は、この外部装置３を保持することが可能になっており、外形及び撮像部７０の位置が規定されている外部装置３、或いは外形及び撮像部７０の位置が一定の範囲内にある外部装置３を対象に形成されており、例えば、同一シリーズの外部装置３を対象に形成されている。画像読取装置１で媒体Ｐの読取対象領域Ｐｔを読み取る際には、筐体２によって外部装置３を保持した状態で読み取る。
【００１４】
図３は、図１に示す筐体の斜視図である。図４は、図３のＡ−Ａ矢視図である。図５は、図３のＢ−Ｂ断面図である。筐体２は、略三角柱の形状で形成されており、三角柱を構成する矩形状の３つのいわゆる側面のうち、１つの側面が開口しており、この開口している部分は、矩形状に形成された開口部１１になっている。この開口部１１は、少なくともＬ版サイズ（８９ｍｍ×１２７ｍｍ）の写真が開口部１１内に収まる面積で形成されている。なお、開口部１１は、後述する画像処理を考慮して、Ｌ版サイズの写真の中心と開口部１１の中心とを一致させた状態で、開口部１１の外縁と写真の外縁との間に隙間が形成される面積、例えば１０２ｍｍ×１４０ｍｍ程度であることが好ましい。
【００１５】
画像読取装置１の使用時には、筐体２は、この開口部１１が下方側に位置して下方に開口する向きで用いられる。換言すると、筐体２は、底面１０に開口部１１を有している。筐体２は、このように底面１０に開口部１１を有しており、開口部１１は下方に開口しているため、筐体２内に対しては、筐体２の周囲から筐体２に対して照射される環境光を遮断することが可能になっている。
【００１６】
このように形成される筐体２は、筐体２の形状である三角柱を構成する３つの側面のうち、底面１０以外の残りの２つの側面と、三角柱を構成する三角形状の２つの底面は、それぞれカバー部１５として形成されている。これらの４つのカバー部１５は、矩形状の開口部１１の４つの辺にそれぞれ対応しており、筐体２の周囲から筐体２に対して照射される環境光が、筐体２内に対して照射されることを遮断する遮光部材として設けられている。
【００１７】
これらの４つのカバー部１５において互いに対向する２組のカバー部１５のうち、１組のカバー部１５は、開口部１１が位置する側から反対側の端部側に向かってカバー部１５同士が近付く方向に傾斜する傾斜カバー部２０になっている。つまり、傾斜カバー部２０は、筐体２の形状である三角柱を構成する３つの側面のうち、底面１０以外の残りの２つの側面によって構成されている。
【００１８】
この２つの傾斜カバー部２０のうち、一方の傾斜カバー部２０である第１傾斜カバー部２１は、外部装置３を保持する外部装置保持部２２と、外部装置３が媒体Ｐを撮像する際における開口部である撮像用開口部２３と、バッテリー（図示省略）等の電源５６（図９参照）が収納される電源収納部２４とを有している。このうち、撮像用開口部２３は、第１傾斜カバー部２１を連通する孔になっており、第１傾斜カバー部２１における筐体２の外面側と内面側とにかけて連通している。
【００１９】
また、外部装置保持部２２は、第１傾斜カバー部２１における筐体２の外面側に形成されており、外部装置３が有する撮像部７０が、撮像用開口部２３が形成されている部分に位置するように、外部装置３を第１傾斜カバー部２１における筐体２の外面側の位置で保持することが出来るように形成されている。例えば、外部装置保持部２２は、外部装置３の撮像部７０が、撮像用開口部２３が形成されている部分に位置した状態における外部装置３の下端部分を下方側から支持し、外部装置３の側方部分を側方から支持することができるように、第１傾斜カバー部２１から突出して形成されている。外部装置３は、この外部装置保持部２２で保持した際には、撮像用開口部２３が形成されている位置に撮像部７０が位置する状態になるため、開口部１１において筐体２内部に露出する媒体Ｐを撮像部７０で撮像することが可能になる。
【００２０】
また、画像読取装置１は、筐体２と外部装置３との間で通信を行ったり、光源５０（図５）を点灯させたりすることが可能になっているが、電源収納部２４は、これらの動作に用いる電力を供給するバッテリー等の電源５６を収納することができるようになっている。
【００２１】
また、第１傾斜カバー部２１には、開口部１１が閉塞されたことを検出する閉塞検出部である接地センサ５５が備えられている。この接地センサ５５は、第１傾斜カバー部２１における底面１０側に設けられており、筐体２の底面１０が媒体Ｐに密着し、開口部１１が媒体Ｐで閉塞されると、媒体Ｐによりアームが変形してＯＮになることにより、開口部１１の閉塞を検出する機械式のセンサになっている。
【００２２】
また、２つの傾斜カバー部２０のうち、他方の傾斜カバー部２０である第２傾斜カバー部２６には、筐体２の内面側に相当する面に、ミラー２７が配設されている。即ち、ミラー２７は、第２傾斜カバー部２６における第１傾斜カバー部２１に対向する面に設けられている。このように、第２傾斜カバー部２６の内面側に設けられるミラー２７は、開口部１１において筐体内部１２に露出する媒体Ｐを反射し、反射した鏡像を撮像部７０により撮像させることができるように設けられている。
【００２３】
また、ミラー２７と、外部装置保持部２２で保持された状態の外部装置３の撮像部７０と、開口部１１との位置関係は、ミラー２７を介した撮像部７０の撮像領域Ｓ（図１０参照）が、開口部１１と同じ領域か、或いはそれよりも広い領域となるように設定されている。これにより、外部装置保持部２２により外部装置３が保持されることによって撮像用開口部２３の位置に撮像部７０が位置する状態では、撮像部７０は、開口部１１において筐体内部１２に露出する媒体Ｐの全領域を撮像することが可能になる。
【００２４】
また、４つのカバー部１５において互いに対向する２組のカバー部１５のうち、他の１組のカバー部１５は、２つの傾斜カバー部２０同士を連結する連結カバー部３０になっている。この連結カバー部３０は、筐体２の形状である三角柱を構成する２つのいわゆる底面によって構成されている。また、筐体２は、連結カバー部３０を正面に見た場合における形状が、連結カバー部３０における開口部１１側の辺を底辺とする略二等辺三角形の形状になっている。このため、２つの傾斜カバー部２０のうち、一方の傾斜カバー部２０と連結カバー部３０における開口部１１側の辺とでなす角度ｘ°と、他方の傾斜カバー部２０と連結カバー部３０における開口部１１側の辺とでなす角度ｘ°とは、ほぼ同じ大きさになっている。
【００２５】
これらのカバー部１５のうち、傾斜カバー部２０は、一方の傾斜カバー部２０が、開口部１１が位置する側の反対側の端部側を基準として他方の傾斜カバー部２０に対して相対的に移動することにより、傾斜カバー部２０同士の位置関係を切り替えることが可能になっている。具体的には、２つの傾斜カバー部２０は、一方の傾斜カバー部２０が他方の傾斜カバー部２０に対して相対的に移動することにより、双方の傾斜カバー部２０における開口部１１側の端部が離間する開状態（図３）と、双方の傾斜カバー部２０同士が平行な向きになって隣接する折り畳み状態（図１５、図１６参照）とに切り替え可能になっている。
【００２６】
詳しくは、２つの傾斜カバー部２０は、開口部１１が位置する側の反対側の端部側に、２箇所の連結カバー部３０同士の間にかけた方向に延びる回動軸４１がそれぞれ設けられており、傾斜カバー部２０は、これらの回動軸４１を中心として、それぞれ回動可能になっている。２つの傾斜カバー部２０は、このように別々の回動軸４１を中心としてそれぞれが回動することによって、互いに他方の傾斜カバー部２０に対して相対的に移動し、これにより２つの傾斜カバー部２０は、開状態と折り畳み状態とに切り替えることが可能になっている。
【００２７】
また、連結カバー部３０は、１つの連結カバー部３０が、互いに回動自在に連結される複数の回動部材３１を有して構成されている。詳しくは、２つの連結カバー部３０は、それぞれ連結カバー部３０の形状である二等辺三角形の頂角から二等辺三角形の底辺側にかけて底辺に対して直角になる線によって２つに分割されており、この分割された部分が、それぞれ回動部材３１になっている。１つの連結カバー部３０が有する２つの回動部材３１同士の間には、回動部材３１のそれぞれに対して回動可能な連結部材３５が配設されており、２つの回動部材３１は、連結部材３５によって、互いに他方の回動部材３１に対して回動自在に連結されている。
【００２８】
さらに、各連結カバー部３０が有する２つの回動部材３１は、それぞれ異なる傾斜カバー部２０に、回動自在に連結されている。つまり、各連結カバー部３０は、２つの回動部材３１が連結部材３５によって回動自在に連結され、さらに、それぞれの回動部材３１が、異なる傾斜カバー部２０に回動自在に連結されることにより、２つの傾斜カバー部２０同士を連結している。
【００２９】
２つの連結カバー部３０は、このように回動部材３１同士が回動自在に連結され、傾斜カバー部２０に対しても回動自在に連結されることにより、傾斜カバー部２０に対して変形自在に連結されている。これにより、２つの傾斜カバー部２０が折り畳み状態のときには、傾斜カバー部２０に対して変形することにより、傾斜カバー部２０同士の間に入り込むことが可能になっている。
【００３０】
換言すると、連結カバー部３０は、２つの傾斜カバー部２０が折り畳み状態のときには、回動部材３１同士が相対的に回動することにより傾斜カバー部２０に対して変形可能に、傾斜カバー部２０に連結されている。これにより、連結カバー部３０は、２つの傾斜カバー部２０が折り畳み状態のときには、回動部材３１同士が相対的に回動して連結カバー部３０が２つの傾斜カバー部２０に対して平行な向きになることによって、傾斜カバー部２０同士の間に入り込むことが可能になっている。
【００３１】
また、筐体内部１２には、複数の光源５０が配設されている。この複数の光源５０は、開口部１１に向かって光を開口部１１における水平面の異なる領域に照射することができるように配置されている。このように、筐体内部１２に配設される光源５０は、連結カバー部３０における筐体２の内面側に配設されており、連結カバー部３０が有する２つの回動部材３１に、それぞれ配設されている。つまり、光源５０は、筐体内部１２における４箇所に配設されている。
【００３２】
図６は、図５のＣ−Ｃ断面図である。詳しくは、光源５０は、２つの連結カバー部３０のうち、一方の連結カバー部３０に配設される第１光源５１と、他方の連結カバー部３０に配設される第２光源５２とを有している。第１光源５１は、当該第１光源５１が配設される側の連結カバー部３０が有する２つの回動部材３１のそれぞれに配設されており、第２光源５２は、当該第２光源５２が配設される側の連結カバー部３０が有する２つの回動部材３１のそれぞれに配設されている。このように各回動部材３１に配設される光源５０は、ＬＥＤ（Ｌｉｇｈｔ  Ｅｍｉｔｔｉｎｇ  Ｄｉｏｄｅ）やＬＤ（Ｌａｓｅｒ  Ｄｉｏｄｅ）などの複数の発光素子を帯状に配列した発光モジュールになっており、電源５６（図９参照）から供給される電力によって点灯し、光を照射することが可能になっている。
【００３３】
第１光源５１及び第２光源５２は、開口部１１から筐体内部１２に露出する媒体Ｐの全領域（読取対象領域Ｐｔを含む領域）を撮像することができる光量を有している。第１光源５１及び第２光源５２は、開口部１１における水平面の異なる領域に光を照射することができるように構成されている。具体的には、第１光源５１は、開口部１１のうち、第２光源５２が設けられる連結カバー部３０寄りの位置に光を照射することができるようになっており、第２光源５２は、開口部１１のうち、第１光源５１が設けられる連結カバー部３０寄りの位置に光を照射することができるようになっている。即ち、第１光源５１と第２光源５２とでは、主照射領域が異なっている。
【００３４】
なお、ここでいう主照射領域とは、第１光源５１及び第２光源５２から照射された光が媒体Ｐで正反射した際に、正反射光がさらにミラー２７で反射することによって撮像部７０に入射される状態になる光を照射する領域をいう。この領域は、生成された画像データにおいて第１光源５１や第２光源５２から照射された光が媒体Ｐで正反射し、正反射が発生した領域に対応する媒体Ｐの領域における画像を識別できない領域をいう。
【００３５】
図７は、図３に示す筐体の分解斜視図である。図８は、図７のＤ−Ｄ断面図である。筐体２は、傾斜カバー部２０と連結カバー部３０との他に回動カバー部４０を有しており、回動カバー部４０は、傾斜カバー部２０における開口部１１が位置する側の反対側の端部側に配設されている。回動カバー部４０は、この位置で、一方の連結カバー部３０が位置する側から他方の連結カバー部３０が位置する側に延在している。２つの傾斜カバー部２０は、開口部１１が位置する側の反対側の端部側が、回動カバー部４０にそれぞれ回動自在に連結されており、傾斜カバー部２０の回動軸４１は、このように、傾斜カバー部２０が回動カバー部４０に対して回動自在に連結されることにより構成されている。即ち、回動軸４１は、傾斜カバー部２０が回動をする際における仮想の中心軸になっている。
【００３６】
傾斜カバー部２０と回動カバー部４０との連結部分について説明すると、２つの傾斜カバー部２０には、それぞれの傾斜カバー部２０における、回動カバー部４０の延在方向の両端側が、互いに他方の傾斜カバー部２０が位置する側に折り曲げられた折り曲げ部２８が形成されている。傾斜カバー部２０は、この折り曲げ部２８同士の間に回動カバー部４０を位置させることにより、回動カバー部４０を延在方向における両端側から覆っている。
【００３７】
この折り曲げ部２８には、回動カバー部４０の延在方向に突出する突起部が形成されており、回動カバー部４０の端部には、折り曲げ部２８に形成された突起部が入り込む孔が形成されている。傾斜カバー部２０と回動カバー部４０とは、折り曲げ部２８に形成された突起部が回動カバー部４０に形成された孔に入り込むことにより、突起部や孔の中心軸が回動軸４１となって、傾斜カバー部２０は回動カバー部４０に対して回動自在に連結される。なお、傾斜カバー部２０の折り曲げ部２８と回動カバー部４０における、突起部と孔の配置は、逆でもよい。傾斜カバー部２０は、回動カバー部４０に対して回動軸４１を中心として回動自在に連結されていれば、連結の形態は問わない。
【００３８】
また、連結カバー部３０は、それぞれ２つの連結部材３５が設けられており、１つの連結カバー部３０が有する２つの回動部材３１は、２つの連結部材３５によって２箇所で回動自在に連結されている。さらに、回動部材３１は、傾斜カバー部２０に連結される部分に、回動連結部３２が複数形成されている。この回動連結部３２は、回動部材３１における傾斜カバー部２０に連結される辺に沿った方向に突出する突起部を有しており、傾斜カバー部２０には、この突起部が入り込む孔が形成される部材が、折り曲げ部２８に設けられている。回動部材３１は、回動連結部３２に形成される突起部が、折り曲げ部２８に設けられる部材に形成される孔に入り込むことにより、傾斜カバー部２０に対して回動自在に連結される。なお、回動連結部３２と傾斜カバー部２０の折り曲げ部２８における、突起部と孔の配置は、逆でもよい。回動部材３１は、傾斜カバー部２０に対して回動自在に連結されていれば、連結の形態は問わない。
【００３９】
図９は、図１に示す画像読取装置の機能ブロック図である。外部装置３と共に画像読取装置１を構成する筐体２は、ミラー２７と、第１光源５１と、第２光源５２と、接地センサ５５と、電源５６と、筐体制御部６０とを備えている。このように、筐体２が備える筐体制御部６０のハード構成は、主に演算処理を行うＣＰＵ（Ｃｅｎｔｒａｌ  Ｐｒｏｃｅｓｓｉｎｇ  Ｕｎｉｔ）、プログラムや情報を格納するメモリ（ＲＡＭ、ＲＯＭ）、入出力インターフェースなどから構成され、既知の制御装置と同様であるため、詳細な説明は省略する。
【００４０】
また、第１光源５１と第２光源５２、即ち光源５０と、接地センサ５５とは、筐体制御部６０に電気的に接続されており、これにより、光源５０は、筐体制御部６０によって点灯や消灯の制御を行うことができ、接地センサ５５で検出した検出結果は、筐体制御部６０で受けることが可能になっている。詳しくは、筐体制御部６０は、光源５０の点灯状態を制御する光源制御部６１としての機能を有しており、光源５０は、この筐体制御部６０によって、光量や、点灯及び消灯のタイミングの制御を行うことが可能になっている。その際に、光源制御部６１は、接地センサ５５での検出結果も参照して、光源５０の点灯状態の制御を行うことができる。
【００４１】
また、電源収納部２４に収納されている電源５６も、筐体制御部６０に電気的に接続されており、筐体２が有し、電力によって作動する各部は、この電源５６から供給される電力によって作動可能になっている。筐体２の各部を作動させる電力を供給する電源５６としては、例えば、一次電池や二次電池等のバッテリーが用いられる。
【００４２】
さらに、筐体制御部６０は、外部装置３との間で通信が可能な通信部６２を有しており、通信部６２は、例えば、Ｂｌｕｅｔｏｏｔｈ（登録商標）によって無線通信を行う。外部装置３との間の通信は、Ｂｌｕｅｔｏｏｔｈ（登録商標）以外の手法によって行ってもよく、ＮＦＣ（Ｎｅａｒ  Ｆｉｅｌｄ  Ｃｏｍｍｕｎｉｃａｔｉｏｎ）や赤外線通信等、外部装置保持部２２で保持する外部装置３と筐体２との間で、無線で通信を行うことができる手法であれば、その手法は問わない。
【００４３】
一方、外部装置３は、撮像部７０と、表示部７１と、撮像制御部７５と、画像処理部７６と、通信部７７と、を備えており、これらの他に電源部（図示省略）と、記憶部（図示省略）とを含んで構成されている。このうち、撮像部７０は、外部装置３の裏面（表示部７１が設けられている面と反対側の面）に配置されており、外部装置３の電源部からの電力により駆動するＣＣＤイメージセンサやＣＭＯＳイメージセンサなどの撮像素子が面状に配列されたものである。この撮像部７０は、面状に配列された撮像素子により、撮像範囲の被写体を一度に撮像するように構成されている。
【００４４】
また、表示部７１は、任意の画像を表示することができ、撮像部７０により撮像された画像も表示可能になっている。表示部７１は、外部装置３の表面に配置されており、外部装置３の電源部からの電力により駆動する液晶ディスプレイ、有機ＥＬディスプレイなどのディスプレイになっている。また、表示部７１は、外部装置３の出力部としての機能以外に、入力部としての機能も有するタッチパネルディスプレイになっている。このため、表示部７１は、ユーザーが表示部７１における任意の位置を触れることで、位置に対する電気信号を出力可能になっており、これにより、ユーザーは、任意の入力操作を外部装置３に対して行うことができる。
【００４５】
また、撮像制御部７５と、画像処理部７６と、通信部７７とは、外部装置３が有する制御部の機能として設けられている。撮像制御部７５等の機能を有する制御部のハード構成は、主に演算処理を行うＣＰＵ、プログラムや情報を格納するメモリ（ＲＡＭ、ＲＯＭ）、入出力インターフェースなどから構成され、既知のスマートフォン等と同様であるため、詳細な説明は省略する。
【００４６】
このうち、撮像制御部７５は、撮像部７０の制御を行うことが可能になっており、撮像部７０での撮像のタイミングや露光時間の調整、ピント合わせ等の撮像に関する制御を行う。また、画像処理部７６は、撮像部７０で撮像した画像の処理を行うことが可能になっている。つまり、撮像部７０で撮像を行った場合、撮像部７０が有する各撮像素子は、露光ごとに、入射される光に応じた出力値に基づいた画像信号を画像処理部７６に出力し、画像処理部７６は、この画像信号に基づいて１つの画像データを生成する等の画像処理を行う。
【００４７】
また、通信部７７は、筐体２の通信部６２との間で、Ｂｌｕｅｔｏｏｔｈ（登録商標）等によって通信を行うことが可能になっている。筐体２と外部装置３は、双方の通信部６２、７７により、無線通信で通信を行うことが可能になっている。
【００４８】
本実施形態１に係る画像読取装置１は、以上のような構成からなり、以下、その作用について説明する。図１０は、図１に示す画像読取装置で画像を読み取る場合の説明図である。画像読取装置１で媒体Ｐの読み取りを行う場合には、筐体２を開状態にし、媒体Ｐの読取対象領域Ｐｔが開口部１１内に位置するように、開状態の筐体２を媒体Ｐ上に載置する。筐体２を媒体Ｐ上に載置すると、底面１０に設けられる接地センサ５５が媒体Ｐに接触することによって変形し、開口部１１が閉塞したことを検出する。開口部１１が閉塞したことを接地センサ５５で検出したら、光源制御部６１は、第１光源５１と第２光源５２とを共に点灯させる。なお、第１光源５１と第２光源５２とが共に点灯している状態が、所定時間経過した場合には、光源制御部６１で光源５０を制御することにより、第１光源５１と第２光源５２とを共に消灯させてもよい。
【００４９】
筐体２を媒体Ｐ上に載置したら、撮像部７０が撮像用開口部２３に対向する向きで、外部装置３を外部装置保持部２２で保持する。これにより、撮像部７０は、撮像用開口部２３を介して筐体２内を撮像することができ、筐体２内においてミラー２７で反射した媒体Ｐの画像を読み取ることが可能になる。
【００５０】
このように、外部装置３を外部装置保持部２２で保持する際には、外部装置３は、画像読取装置１としての機能に対応する読取アプリケーションを起動させた状態で外部装置保持部２２によって保持するなどして、読取アプリケーションを用いて媒体Ｐの読み取りを行うことができる状態にする。読取アプリケーションを実行している場合、外部装置３の表示部７１には、画像処理部７６から出力される画像データ信号に基づいて、撮像部７０で現在撮像している画像が表示される。このため、外部装置３が外部装置保持部２２で保持される状態で読取アプリケーションを実行している場合には、表示部７１には、ミラー２７で反射し、撮像部７０で現在撮像している媒体Ｐの画像が表示される。
【００５１】
また、読取アプリケーションが実行されている場合には、外部装置３の表示部７１には、シャッターがアイコンとして表示される。読取アプリケーションでは、ユーザーがこのシャッターのアイコンに触れることによってシャッターを押下すると、撮像部７０による撮像を指示する撮像指示信号が撮像制御部７５から撮像部７０に出力され、撮像部７０で撮像した画像に基づいて画像の読み取りが行われる。即ち、撮像部７０で撮像した画像データについて所望の画像処理を行い、外部装置３が有する記憶部に記憶させることにより、記憶部に保存する。
【００５２】
読取アプリケーションを実行することにより、画像の読み取りを行う際には、光源制御部６１で光源５０を制御することにより、第１光源５１と第２光源５２とのうち一方のみが点灯する状態を連続して実行する。つまり、筐体２と外部装置３とは、筐体２の通信部６２と外部装置３の通信部７７との間で無線通信を行うことが可能になっており、外部装置３の撮像部７０で撮像を行うことによって媒体Ｐの読み取りを行う場合には、筐体２と外部装置３との間で信号の送受信を行いながら連携制御をする。画像の読み取りを行う際には、この連携制御により、撮像部７０の制御のみでなく、光源５０の制御も行い、第２光源５２が消灯して第１光源５１のみが点灯する状態と、第１光源５１が消灯して第２光源５２のみが点灯する状態とを続けて実行する。
【００５３】
この場合、撮像制御部７５は、撮像部７０に対して、第１光源５１のみの点灯時、及び第２光源５２のみの点灯時のそれぞれの点灯時に、媒体Ｐを１回ずつ撮像させる。つまり、撮像部７０による各撮像時には、複数の光源５０のうち、前回の撮像時に点灯した光源５０とは異なる光源５０が点灯し、撮像部７０は、光源５０が点灯するごとに撮像を行う。
【００５４】
図１１は、撮像部で撮像した画像データを合成する際の説明図である。撮像部７０で撮像を行った場合、画像処理部７６は、第１光源５１のみの点灯時に撮像部７０により撮像して生成された画像データ（第１画像データＤ１）と、第２光源５２のみの点灯時に撮像部７０により撮像して生成された画像データ（第２画像データＤ２）と、を合成した画像データ（合成画像データＤＧ）を生成する。第１画像データＤ１は、第１光源５１のみの点灯時に撮像したものであるため、第１光源５１から照射された光が媒体Ｐで正反射した場合には、第１光源５１の主照射領域に対応する領域に第１光源５１の写り込みＰａが発生し、対応する媒体Ｐの領域における画像を識別できなくなる。一方、第２画像データＤ２は、第２光源５２のみの点灯時に撮像したものであるため、第２光源５２から照射された光が媒体Ｐで正反射した場合には、第２光源５２の主照射領域に対応する領域に第２光源５２の写り込みＰｂが発生し、対応する媒体Ｐの領域における画像を識別できなくなる。
【００５５】
ここで、写り込みＰａ、Ｐｂは、画像データの異なる位置で発生する。これは、第１光源５１及び第２光源５２は、開口部１１における水平面の異なる領域に光を照射するためである。このため、第１画像データＤ１においては、写り込みＰｂの領域に対応する媒体Ｐの領域における画像を識別することができる。一方、第２画像データＤ２においては、写り込みＰａの領域に対応する媒体Ｐの領域における画像を識別することができる。
【００５６】
画像処理部７６は、両画像データＤ１、Ｄ２のうち、媒体Ｐの領域における画像を識別することができる領域を抽出して合成画像データＤＧを生成する。このため、本実施形態１における画像処理部７６は、両画像データＤ１、Ｄ２のうち、両写り込みＰａ、Ｐｂの間に位置する両画像データＤ１、Ｄ２の中心線ＣＬを境界として設定する。さらに、画像処理部７６は、第１画像データＤ１のうち、中心線ＣＬよりも写り込みＰａが発生している側とは反対側の領域を抽出し、第２画像データＤ２のうち、中心線ＣＬよりも写り込みＰｂが発生している側とは反対側の領域を抽出して、抽出した２つの領域に対応する画像データを合成することにより、合成画像データＤＧを生成する。これにより、生成される合成画像データＤＧは、両画像データＤ１、Ｄ２のうち、画像品位の高い領域のみから構成されることになる。
【００５７】
画像処理部７６は、生成した合成画像データＤＧに対して、さらに、境界の平滑化、ミラー反転補正、台形補正、矩形クロッピング、ガンマ補正等の各種補正を行う。画像処理部７６によって合成画像データＤＧの補正を行ったら、補正した合成画像データＤＧを外部装置３の記憶部に保存することにより、媒体Ｐの画像を読み取る。
【００５８】
次に、本実施形態１に係る画像読取装置１による媒体Ｐの読み取りについて説明する。図１２は、実施形態１に係る画像読取装置で読取動作を行う際における外部装置での処理手順を示すフロー図である。画像読取装置１による媒体Ｐの読み取りは、外部装置３が筐体２に取り付けられている状態で行われる。まず、外部装置３は、ユーザーによる外部装置３の読取アプリケーションの実行指示に基づいて、撮像部７０を起動する（ステップＳＴ１）。ここで、読取アプリケーションの実行指示は、例えば、ユーザーが表示部７１を操作し、読取アプリケーションに対応する起動ボタンのアイコンを表示部７１に表示させ、起動ボタンを押下することで行われる。これにより、撮像部７０は起動され、開口部１１の撮像を継続し、画像信号が順次画像処理部７６に出力され、画像処理部７６が順次画像データを生成し、生成された画像データに基づいた画像が表示部７１により順次表示される。
【００５９】
次に、シャッターが押下されたか否かを判定する（ステップＳＴ２）。詳しくは、読取アプリケーションが実行されると、表示部７１には画像と共にシャッターがアイコンとして表示されるため、外部装置３は、表示部７１に表示されたシャッターが押下されたか否かを判定する。この判定により、シャッターは押下されていないと判定された場合（ステップＳＴ２、Ｎｏ判定）には、シャッターが押下されるまでこの判定を繰り返し、シャッターが押下されるまで待機する。
【００６０】
図１３は、実施形態１に係る画像読取装置で読取動作を行う際における筐体での処理手順を示すフロー図である。また、画像読取装置１で媒体Ｐの読み取りを行う際には、筐体２ではまず、接地センサ５５がＯＮであるか否かの判定を行う（ステップＳＴ２１）。つまり、媒体Ｐの読み取りを行う際には、ユーザーは、読み取りを行いたい媒体Ｐを確認し、開口部１１が媒体Ｐの読取対象領域Ｐｔと対向するように、媒体Ｐに対して画像読取装置１を手によって位置づける。なお、このとき複数の光源５０は、消灯状態になっている。筐体２の底面１０が媒体Ｐに接触して媒体Ｐを読み取ることが可能な状態になると、接地センサ５５はＯＮになるため、筐体制御部６０は、接地センサ５５がＯＮの状態であるか否かを判定することにより、開口部１１が閉塞されて媒体Ｐを読み取ることが可能な状態であるか否かを判定する。この判定により、接地センサ５５はＯＮではないと判定された場合（ステップＳＴ２１、Ｎｏ判定）には、接地センサ５５がＯＮであると判定されるまで判定を繰り返し、接地センサ５５がＯＮになるまで待機する。
【００６１】
接地センサ５５がＯＮであると判定され（ステップＳＴ２１、Ｙｅｓ判定）、筐体２の底面１０が媒体Ｐ、または媒体Ｐが置かれた面と密着したと判断できる状態になったら、全光源５０を点灯する（ステップＳＴ２２）。つまり、筐体２の底面１０を、媒体Ｐや、媒体Ｐが置かれた面と密着させる前は、複数の光源５０は消灯状態であるため、筐体内部１２は真っ暗になっている。一方、外部装置３では、開口部１１を閉塞する媒体Ｐを撮像部７０によって順次撮像しているが、順次生成された画像データでは、筐体内部１２が真っ暗であることにより光量不足の状態になっており、対応する媒体Ｐの読取対象領域Ｐｔにおける画像を認識することができない。このため、接地センサ５５がＯＮであると判定され、開口部１１が、媒体Ｐや、媒体Ｐが置かれた面によって閉塞されたと判断できる状態になったら、光源制御部６１は、複数の光源５０を全て点灯させる。これにより、筐体内部１２には、複数の光源５０からの光が照射され、開口部１１を閉塞する媒体Ｐに、複数の光源５０からの光が直接、或いはミラー２７を介して照射される。
【００６２】
表示部７１では、撮像部７０で順次撮像している画像データに基づいて媒体Ｐの画像を順次表示するが、複数の光源５０からの光が媒体Ｐに照射されることにより、ユーザーは、読取対象領域Ｐｔにおける画像を認識することできる。これにより、ユーザーは、表示部７１に表示される画像に基づいて、媒体Ｐと開口部１１との位置関係を調整することができ、読取対象領域Ｐｔを開口部１１に収めることができる。なお、画像データには、媒体Ｐの材質によっては写り込みＰａ、Ｐｂが発生することがあるが、写り込みＰａ、Ｐｂが発生しても、媒体Ｐと開口部１１との位置関係は認識することができる。
【００６３】
全光源５０を点灯したら、光源切替信号を受信したか否かを判定する（ステップＳＴ２３）。光源切替信号を受信していないと判定された場合（ステップＳＴ２３、Ｎｏ判定）には、光源切替信号を受信するまで、この判定を繰り返し、光源切替信号を受信するまで待機する。つまり、外部装置３では、シャッターが押下されたと判定された場合（ステップＳＴ２、Ｙｅｓ判定）（図１２参照）には、焦点・露出・ホワイトバランス（ＷＢ）の調整を行う（ステップＳＴ３）。つまり、撮像制御部７５により、筐体内部１２の環境に合わせて撮像部７０の撮像条件を設定する。特に、両画像データＤ１、Ｄ２のうち、写り込みＰａ、Ｐｂが発生している側の反対側の領域に対して、最適な画質が得られるように、撮像制御部７５はこれらの調整を行う。
【００６４】
これらの調整を行ったら、外部装置３は、次に光源切替信号を発信する（ステップＳＴ４）。即ち、外部装置３は、外部装置３の通信部７７と、筐体２の通信部６２とを介して、筐体２の光源制御部６１に第１光源５１のみを点灯させる光源切替信号である第１光源点灯信号を発信する。筐体制御部６０では、この第１光源点灯信号を受信したら、光源切替信号を受信したと判定する（ステップＳＴ２３、Ｙｅｓ判定）（図１３参照）。光源切替信号を受信したと判定したら、光源制御部６１は、受信した第１光源点灯信号に基づいて、第１光源５１のみを点灯させる（ステップＳＴ２４）。
【００６５】
第１光源５１のみを点灯させたら、光源制御部６１は、再び光源切替信号を受信したか否かを判定する（ステップＳＴ２５）。光源切替信号を受信していないと判定された場合（ステップＳＴ２５、Ｎｏ判定）には、光源切替信号を受信するまで、この判定を繰り返し、光源切替信号を受信するまで待機して、第１光源５１の点灯を維持する。
【００６６】
一方、外部装置３は、第１光源点灯信号を発信したら、第１光源５１のみの点灯時に、撮像部７０による撮像を行う（ステップＳＴ５）（図１２参照）。この場合、画像処理部７６は、第１光源５１に対応する写り込みＰａに対する対処を行っていない第１画像データＤ１を生成する。なお、第１画像データＤ１の生成時には、第１画像データＤ１に基づいた画像を表示部７１で表示してもよい。
【００６７】
第１光源５１のみの点灯時における撮像を行ったら、外部装置３は、次に光源切替信号を発信する（ステップＳＴ６）。即ち、外部装置３は、外部装置３の通信部７７と、筐体２の通信部６２とを介して、筐体２の光源制御部６１に第２光源５２のみを点灯させる光源切替信号である第２光源点灯信号を発信する。筐体制御部６０では、この第２光源点灯信号を受信したら、光源切替信号を受信したと判定する（ステップＳＴ２５、Ｙｅｓ判定）（図１３参照）。光源切替信号を受信したと判定したら、光源制御部６１は、受信した第２光源点灯信号に基づいて、第１光源５１を消灯させ、第２光源５２のみを点灯させる（ステップＳＴ２６）。
【００６８】
第２光源５２のみを点灯させたら、光源制御部６１は、再び光源切替信号を受信したか否かを判定する（ステップＳＴ２７）。光源切替信号を受信していないと判定された場合（ステップＳＴ２７、Ｎｏ判定）には、光源切替信号を受信するまで、この判定を繰り返し、光源切替信号を受信するまで待機して、第２光源５２の点灯を維持する。
【００６９】
一方、外部装置３は、第２光源点灯信号を発信したら、第２光源５２のみの点灯時に、撮像部７０による撮像を行う（ステップＳＴ７）（図１２参照）。この場合、画像処理部７６は、第２光源５２に対応する写り込みＰｂに対する対処を行っていない第２画像データＤ２を生成する。なお、第２画像データＤ２の生成時には、第２画像データＤ２に基づいた画像を表示部７１で表示してもよい。
【００７０】
第２光源５２のみの点灯時における撮像を行ったら、外部装置３は、次に光源切替信号を発信する（ステップＳＴ８）。即ち、外部装置３は、外部装置３の通信部７７と、筐体２の通信部６２とを介して、筐体２の光源制御部６１に第２光源５２を消灯させる光源切替信号である全光源消灯信号を発信する。筐体制御部６０では、この全光源消灯信号を受信したら、光源切替信号を受信したと判定する（ステップＳＴ２７、Ｙｅｓ判定）（図１３参照）。光源切替信号を受信したと判定したら、光源制御部６１は、受信した全光源消灯信号に基づいて、第２光源５２を消灯させ、複数の光源５０の全てを消灯させる（ステップＳＴ２８）。
【００７１】
一方、外部装置３は、全光源消灯信号を発信したら、画像処理を行う（ステップＳＴ９）（図１２参照）。この画像処理は、外部装置３が有する画像処理部７６によって行う。図１４は、実施形態１に係る画像読取装置の読取動作を行う際における画像処理についての処理手順を示すフロー図である。画像処理部７６は、主に、合成画像データＤＧの生成や、合成画像データＤＧの補正を行う。画像処理部７６で画像処理を行う際には、まず、画像データの露出を補正する（ステップＳＴ９１）。具体的には、画像処理部７６は、両画像データＤ１、Ｄ２の明暗差が小さくなるように、両画像データＤ１、Ｄ２のうち、少なくとも一方の露出を補正する。これにより、両画像データＤ１、Ｄ２から生成された合成画像データＤＧにおいて、中心線ＣＬを挟んで発生する明暗差を抑制することができる。
【００７２】
次に、画像処理部７６は、合成画像データＤＧを生成する（ステップＳＴ９２）。即ち、画像処理部７６は、露出補正を行った画像データＤ１、Ｄ２から、合成画像データＤＧを生成する。合成画像データＤＧを生成したら、次に、境界の平滑化を行う（ステップＳＴ９３）。画像処理部７６は、合成画像データＤＧにおける画像データＤ１と画像データＤ２との境界、即ち、中心線ＣＬ近傍の画素データに対して、矩形合成処理、フェザリング処理などの公知の平滑化処理の少なくともいずれかを実行し、中心線ＣＬ近傍の平滑化を行う。これにより、合成画像データＤＧの中心線ＣＬを挟んで、合成画像データＤＧが２つの画像データＤ１、Ｄ２を合成して生成されたものであることが認識可能になることを抑制することができる。
【００７３】
境界の平滑化を行ったら、次に、ミラー反転補正を行う（ステップＳＴ９４）。つまり、撮像部７０は、ミラー２７を介して媒体Ｐを撮像するため、画像処理部７６により生成される画像データは、上下が反転しているミラー画像に基づいたものとなる。このため、画像処理部７６は、合成画像データＤＧの上下を反転させるべく、公知のミラー反転の補正を行う。
【００７４】
ミラー反転補正を行ったら、次に台形補正を行う（ステップＳＴ９５）。つまり、ミラー２７と開口部１１との距離は、開口部１１の位置によって異なっているため、開口部１１が矩形であっても、ミラー２７を介して撮像部７０で撮像した画像では、開口部１１は台形に見えることになる。このため、画像処理部７６により生成される画像データにおいては、媒体Ｐ上で矩形であった画像も台形になる。そこで、画像処理部７６は、例えば、媒体Ｐにおける画像に対する画像データにおいて対応する画像の変形量について、撮像部７０とミラー２７と開口部１１との位置関係に基づいて設定しておき、変形量に基づいて公知の台形補正を行う。
【００７５】
台形補正を行ったら、次に矩形クロッピングを行う（ステップＳＴ９６）。例えば、画像処理部７６は、合成画像データＤＧにおける読取対象領域Ｐｔに対応する領域とその他の領域との明暗差などに基づいて、読取対象領域Ｐｔに対応する領域を抽出する公知の矩形クロッピングを行う。これにより、画像処理部７６は、読取対象領域Ｐｔに対応する領域のみから構成される合成画像データＤＧを生成する。
【００７６】
矩形クロッピングを行ったら、次にガンマ補正を行う（ステップＳＴ９７）。つまり、画像処理部７６は、合成画像データＤＧに対して、外部装置３の表示部７１の特性、或いは、標準的な表示部の特性に合わせた公知のガンマ補正を行う。
【００７７】
これらのように、画像処理部７６で画像処理を行ったら、外部装置３は、表示部７１に、合成画像データＤＧに基づいた画像を表示する（ステップＳＴ１０）（図１２参照）。即ち、各種処理が行われた合成画像データＤＧに基づいた画像を、表示部７１に表示する。次に、合成画像データＤＧを保存する（ステップＳＴ１１）。即ち、各種処理が行われた合成画像データＤＧを、外部装置３の記憶部に記憶させることにより記憶部に保存する。合成画像データＤＧを保存したら、ステップＳＴ２に戻り、シャッターが押下されたか否かの判定を行うことにより、次の読み取り指示が行われるまで待機する。
【００７８】
なお、画像処理時に行う境界の平滑化や各補正、矩形クロッピングは、読取アプリケーションによって表示部７１に表示されるアイコンを操作することで、実行の要否や、各種設定が行えることが好ましい。また、合成画像データＤＧの保存、即ち、記憶部での合成画像データＤＧの記憶は、読取アプリケーションによって表示部７１に表示されるアイコンを操作することで、ユーザーが指示することが好ましい。
【００７９】
画像読取装置１は、これらのように媒体Ｐの画像を読み取り、外部装置３の記憶部に保存するが、媒体Ｐの読み取りを行わない場合、即ち、画像読取装置１の不使用時には、筐体２を折り畳むことができる。図１５は、折り畳んだ状態の筐体の側面図である。図１６は、図１５に示す筐体の斜視図である。筐体２を折り畳む際には、回動軸４１を中心として２つの傾斜カバー部２０を回動させて、傾斜カバー部２０同士を相対移動させることにより、傾斜カバー部２０同士を近付ける。その際に、傾斜カバー部２０同士の間に位置して双方の傾斜カバー部２０に連結される連結カバー部３０は、傾斜カバー部２０に対して変形することにより、傾斜カバー部２０同士の間に入り込む。
【００８０】
つまり、筐体２を折り畳む際には、２つの傾斜カバー部２０における開口部１１が位置する側の端部側が近付く方向に、回動軸４１を中心として２つの傾斜カバー部２０をそれぞれ回動させる。これにより、２つの傾斜カバー部２０に連結される連結カバー部３０における、傾斜カバー部２０との連結部分同士の間隔が小さくなる。
【００８１】
詳しくは、連結カバー部３０は、２つの回動部材３１が２つの傾斜カバー部２０に対してそれぞれ回動自在に連結されており、２つの回動部材３１同士も、連結部材３５によって回動自在に連結されている。このため、連結カバー部３０における、傾斜カバー部２０との連結部分同士の間隔が小さくなった場合には、連結カバー部３０は、傾斜カバー部２０に対して回動部材３１が回動しながら、回動部材３１同士も他方に対して回動することにより、傾斜カバー部２０同士の間に入り込む。つまり、連結カバー部３０は、連結カバー部３０全体で見た場合に、連結部材３５が位置する部分が他方の連結カバー部３０に近付く方向に折れ曲がる状態で変形し、２つの傾斜カバー部２０同士の間に入り込む。
【００８２】
これらのように、傾斜カバー部２０同士が近付く方向に２つの傾斜カバー部２０を回動させることにより、傾斜カバー部２０同士が平行な向きになる際には、傾斜カバー部２０同士の間に入り込む連結カバー部３０も、回動部材３１が傾斜カバー部２０に対して平行な向きになる。これにより、連結カバー部３０は、傾斜カバー部２０同士の間に入り込むため、２つの傾斜カバー部２０は重ねられた状態になり、筐体２は、全体で見た場合に、２つの傾斜カバー部２０の厚さを足した厚さを有する、略矩形状の板状の状態になる。このため、筐体２はコンパクトな形態になる。
【００８３】
以上の実施形態１に係る画像読取装置１は、筐体２は、２つの傾斜カバー部２０と２つの連結カバー部３０と、からなり、傾斜カバー部２０は、開口部１１が位置する側の反対側の端部側を基準として他方の傾斜カバー部２０に対して相対的に移動することにより、開状態と、折り畳み状態とに切り替え可能になっている。これにより、傾斜カバー部２０を開状態にした際には、媒体Ｐに照射される環境光を４つのカバー部１５によって遮光することができるため、外部装置３によって安定した画質で画像を読み取ることができる。また、傾斜カバー部２０を折り畳み状態にした際には、連結カバー部３０が傾斜カバー部２０同士の間に入り込むため、傾斜カバー部２０同士を平行な向きにして隣接させることができ、傾斜カバー部２０同士が重なったコンパクトな形態にすることができる。この結果、画像読取装置１の携帯性を確保し、且つ、画質を確保して画像を読み取ることができる。また、これらのように筐体２を折り畳むことができるため、画像読取装置１を使用しない時には、折り畳むことによって手軽に持ち運ぶことができると共に、省スペースで保管をすることができる。
【００８４】
また、２つの傾斜カバー部２０は、別々の回動軸４１を中心としてそれぞれが回動することによって、開状態と折り畳み状態とが切り替えられるため、２つの傾斜カバー部２０を、それぞれの回動軸４１を中心としてより確実に回動させて、任意の状態にすることができる。この結果、携帯性の確保と、画質を確保した画像の読み取りとを、共により確実に実現することができる。
【００８５】
また、連結カバー部３０は、１つの連結カバー部３０が複数の回動部材３１を有して構成されており、傾斜カバー部２０が折り畳み状態のときには、回動部材３１同士が相対的に回動することによって傾斜カバー部２０に対して平行な向きになるため、連結カバー部３０をより確実に傾斜カバー部２０同士の間に入り込ませることができる。この結果、画像読取装置１の携帯性を、より確実に向上させることができる。
【００８６】
〔実施形態２〕
実施形態２に係る画像読取装置８０は、実施形態１に係る画像読取装置１と略同様の構成であるが、傾斜カバー部２０の長さを変更できる点に特徴がある。他の構成は実施形態１と同様なので、その説明を省略すると共に、同一の符号を付す。
【００８７】
図１７は、実施形態２に係る画像読取装置の斜視図である。図１８は、図１７のＥ−Ｅ矢視図である。実施形態２に係る画像読取装置８０は、実施形態１に係る画像読取装置１と同様に、筐体２と外部装置３とを備え、媒体Ｐの画像を読み取る際には、筐体２で外部装置３を保持した状態で外部装置３によって撮像することにより読み取る。また、筐体２は、２つの傾斜カバー部２０と２つの連結カバー部３０を有し、傾斜カバー部２０は、回動軸４１を中心として回動することにより、媒体Ｐの画像を読み取る際の状態である開状態と、携帯したり保管したりする際の状態である折り畳み状態とに切り替え可能になっている。また、連結カバー部３０は、１つの連結カバー部３０が、互いに回動自在に連結される２つの回動部材３１を有しており、２つの回動部材３１は、それぞれ異なる傾斜カバー部２０に回動自在に連結されている。
【００８８】
また、実施形態２に係る画像読取装置８０では、筐体２が有する２つの傾斜カバー部２０のうち、第２傾斜カバー部９０が、開口部１１が位置する側の端部から反対側の端部にかけた方向における長さを変化させることが可能に構成されている。第２傾斜カバー部９０は、このように長さを変化させることが可能になっているため、連結カバー部３０が有する回動部材３１のうち、第２傾斜カバー部９０に連結される回動部材３１は、第２傾斜カバー部９０の長さの変化を吸収できるように、第２傾斜カバー部９０に連結される部分における開口部１１側の端部側が切り欠かれている。
【００８９】
画像読取装置８０によって媒体Ｐの画像の読み取りを行う際には、開口部１１が位置する側の端部から反対側の端部にかけた方向における第２傾斜カバー部９０の長さを、第１傾斜カバー部２１の長さよりも長くした状態で読み取る。このため、第２傾斜カバー部９０と連結カバー部３０における開口部１１側の辺とでなす角度ｙ°は、第１傾斜カバー部２１と連結カバー部３０における開口部１１側の辺とでなす角度ｘ°よりも小さくなっている。
【００９０】
図１９は、図１７に示す第２傾斜カバー部の分解斜視図である。長さを変化させることができる第２傾斜カバー部９０は、ベース部９１とスライド部９５とを有している。このうち、ベース部９１は、略矩形状の形状に形成されており、矩形状の１つの辺付近で回動カバー部４０に連結されている。即ち、ベース部９１は、第２傾斜カバー部９０において、回動カバー部４０に対して回動軸４１を中心に回動自在に連結される部材になっている。このように回動カバー部４０に連結されるベース部９１は、略矩形状の板状の部材の周囲に、矩形状の板を取り囲む枠状の部材であるベース部枠部９２を有しており、第１傾斜カバー部２１に対向する側の面には、ミラー２７が配設されている。
【００９１】
また、ベース部枠部９２には、ベース部９１の形状である矩形の４つの辺のうち、回動軸４１が延びる方向の両側に位置する２つの辺に該当する部分のベース部枠部９２の外側部分に、矩形の外側方向に突出する突起部９３が設けられている。この突起部９３は、突起部９３が設けられる辺ごとに複数が設けられている。
【００９２】
また、スライド部９５は、ベース部９１と同程度の大きさの略矩形状の板状の部材を有して構成されており、この略矩形状の板状の部材における周囲のうち、３辺に該当する位置に、矩形状の板を囲む枠状の部材であるスライド部枠部９６を有している。詳しくは、スライド部枠部９６は、スライド部９５の形状である４つの辺のうち、ベース部９１において回動軸４１が位置する辺側に位置する辺以外の３つの辺に設けられている。
【００９３】
また、スライド部枠部９６には、ベース部９１において矩形の４つの辺に設けられるベース部枠部９２において、突起部９３が位置する辺に該当する部分のスライド部枠部９６の内側部分に、ベース部枠部９２に設けられる突起部９３が入り込む溝部９７が形成されている。この溝部９７は、当該溝部９７が形成されるスライド部枠部９６が設けられる辺に沿って形成されている。さらに、この溝部９７には、突起部９３が入り込む孔である係合孔９８が、複数形成されている。この係合孔９８は、傾斜カバー部２０が開状態のときに突起部９３が入り込む位置と、折り畳み状態のときに突起部９３が入り込む位置とに形成されている。なお、ベース部９１とスライド部９５とは共に、樹脂材料等の弾力性を有する材料からなり、スライド部９５やベース部９１に大きな力を加えることによって、これらは弾性変形し、突起部９３が係合孔９８に入り込んだり係合孔９８から抜け出たりすることが可能になっている。
【００９４】
第２傾斜カバー部９０は、ベース部９１におけるミラー２７が配設される面の反対側の面から、スライド部９５が重ねられることにより、双方は一体となって構成される。その際に、ベース部枠部９２とスライド部枠部９６とは、ベース部枠部９２の外側にスライド部枠部９６が位置して、回動軸４１が延びる方向においてベース部枠部９２とスライド部枠部９６とが重なり、ベース部枠部９２の突起部９３がスライド部枠部９６の溝部９７に入り込んだ状態になる。
【００９５】
これにより、突起部９３は、溝部９７に対して溝部９７が形成される方向に相対的に移動することが可能になり、ベース部枠部９２とスライド部枠部９６とは、溝部９７が形成される方向、即ち、開口部１１が位置する側の端部から反対側の端部にかけた方向に、相対的に移動することが可能になる。第２傾斜カバー部９０は、これらにより、スライド部９５がベース部９１に対してスライド可能に連結される。
【００９６】
本実施形態２に係る画像読取装置８０は、以上のような構成からなり、以下、その作用について説明する。画像読取装置８０によって媒体Ｐの画像を読み取る際には、筐体２を開状態にし、第２傾斜カバー部９０は、スライド部９５を、回動軸４１から離れる方向にベース部９１に対してスライドさせる。このように、回動軸４１から離れる方向にスライド部９５をベース部９１に対してスライドさせた場合、ベース部９１に設けられる突起部９３は、スライド部９５に複数設けられる係合孔９８のうち、開状態のときに突起部９３が入り込む位置の係合孔９８に入り込み、突起部９３と係合孔９８とは係合する。これにより、スライド部９５は、回動軸４１から離れる方向にスライドした場合における所望の位置で固定される。
【００９７】
換言すると、係合孔９８のうちの一部は、スライド部９５をスライドさせて、開口部１１が位置する側の端部から反対側の端部にかけた方向における第２傾斜カバー部９０の長さが、媒体Ｐの画像の読み取り時に適した長さになった際に、突起部９３が入り込む位置に、スライド部９５に形成されている。この状態では、第１傾斜カバー部２１で保持する外部装置３の撮像部７０と、ミラー２７と媒体Ｐとの関係を、撮像により適切な関係にすることができるため、ミラー２７を介して撮像部７０で媒体Ｐを撮像した際に、より高い画質で撮像することができる。
【００９８】
図２０は、図１７に示す第２傾斜カバー部の長さを短くする場合の説明図である。傾斜カバー部２０を折り畳み状態にする際には、まず、第２傾斜カバー部９０のスライド部９５を、回動軸４１が位置する側にスライドさせ、第２傾斜カバー部９０における開口部１１が位置する側の端部から反対側の端部にかけた方向における長さを短くする。その際に、連結カバー部３０が有する回動部材３１のうち、第２傾斜カバー部９０に連結されている回動部材３１は、第２傾斜カバー部９０に連結される部分における開口部１１側の端部側が切り欠かれている。このため、スライド部９５は、スライド部枠部９６が回動部材３１に当接することなくスライドさせることができる。
【００９９】
このように、回動軸４１に近付く方向にスライド部９５をベース部９１に対してスライドさせた場合、ベース部９１に設けられる突起部９３は、スライド部９５に複数設けられる係合孔９８のうち、折り畳み状態のときに突起部９３が入り込む位置の係合孔９８に入り込み、突起部９３と係合孔９８とは係合する。これにより、スライド部９５は、回動軸４１に近付いた方向にスライドした場合における所望の位置で固定される。
【０１００】
具体的には、係合孔９８のうちの一部は、スライド部９５をスライドさせて、開口部１１が位置する側の端部から反対側の端部にかけた方向における第２傾斜カバー部９０の長さが、第１傾斜カバー部２１の長さと同程度の長さになった際に、突起部９３が入り込む位置に、スライド部９５に形成されている。このため、回動軸４１に近付く方向にスライド部９５をベース部９１に対してスライドさせた場合には、スライド部９５は、第２傾斜カバー部９０の長さが第１傾斜カバー部２１の長さと同程度の長さになる位置で固定される。
【０１０１】
図２１は、図２０に示す傾斜カバー部を折り畳み状態にする際の説明図である。図２２は、図２１に示す傾斜カバー部を折り畳み状態にした場合の説明図である。筐体２が有する傾斜カバー部２０を折り畳み状態にする際には、第１傾斜カバー部２１と第２傾斜カバー部９０とが近付く方向に、回動軸４１を中心として双方を回動させる。この場合、第１傾斜カバー部２１と第２傾斜カバー部９０との間に位置し、双方に連結される連結カバー部３０は、互いに連結される回動部材３１が回動すると共に回動部材３１は傾斜カバー部２０に対しても回動することにより、傾斜カバー部２０同士の間に入り込む。
【０１０２】
これにより、第１傾斜カバー部２１と第２傾斜カバー部９０とは、平行な向きになって重なった状態になる。その際に、第２傾斜カバー部９０は、スライド部９５を回動軸４１に近付く方向にスライドさせることにより、第１傾斜カバー部２１の長さと同程度の長さになっているため、折り畳み状態の筐体２は、平面視において第１傾斜カバー部２１と第２傾斜カバー部９０とがほぼ同じ形状で重なる状態になる。このため、筐体２は、全体で見た場合に、２つの傾斜カバー部２０の厚さを足した厚さを有する、略矩形状の板状の状態になり、筐体２はコンパクトな形態になる。
【０１０３】
以上の実施形態２に係る画像読取装置８０は、第２傾斜カバー部９０の長さを変化させることができるようになっているため、第２傾斜カバー部９０の長さを、傾斜カバー部２０の開状態と折り畳み状態とのそれぞれに適した長さにすることができる。つまり、傾斜カバー部２０を折り畳み状態にした際にコンパクトな形態にすることを確保しつつ、開状態にした際には、外部装置３の撮像部７０と、ミラー２７と媒体Ｐとの関係を、撮像により適切な関係にすることができる。この結果、画像読取装置８０の携帯性を確保し、より高い画質で画像を読み取ることができる。
【０１０４】
〔変形例〕
なお、実施形態１に係る画像読取装置１では、筐体２が有する２つの傾斜カバー部２０は、別々の回動軸４１を中心としてそれぞれ回動することができるようになっているが、傾斜カバー部２０の回動軸４１は、傾斜カバー部２０ごとに設けられていなくてもよい。図２３は、実施形態１に係る画像読取装置の変形例を示す説明図であり、回動軸が１つの場合における筐体の斜視図である。図２４は、図２３のＦ−Ｆ矢視図である。筐体２が有する２つの傾斜カバー部２０は、図２３、図２４に示すように、共通の回動軸４１を中心として共に回動することによって、開状態と折り畳み状態とが切り替えられるように構成されていてもよい。即ち、２つの傾斜カバー部２０は、１つの回動カバー部４０に、共通の仮想の回動軸４１を中心として回動するように連結されていてもよい。２つの傾斜カバー部２０が、１つの回動軸４１を中心として回動するように構成することにより、傾斜カバー部２０の回動に関する部分の形態を簡略化することができ、製造コストの低減を図ることができる。
【０１０５】
また、実施形態１に係る画像読取装置１では、１つの連結カバー部３０は、２つの回動部材３１を有して構成されているが、１つの連結カバー部３０を構成する回動部材３１は、２つ以外でもよい。図２５は、実施形態１に係る画像読取装置の変形例を示す説明図であり、連結カバー部が４つの回動部材を有して構成されている場合の説明図である。１つの連結カバー部３０は、例えば、図２５に示すように、４つの回動部材３１を有して構成されていてもよい。この場合、４つの回動部材３１は、２つの傾斜カバー部２０を開状態にした場合に、４つの回動部材３１が２つの傾斜カバー部２０の間に並ぶように配設され、傾斜カバー部２０に隣接される回動部材３１は、傾斜カバー部２０に対して回動自在に連結される。また、隣り合う回動部材３１同士は、それぞれ連結部材３５によって回動自在に連結される。この場合においても、傾斜カバー部２０を折り畳み状態にする際には、連結カバー部３０は、傾斜カバー部２０に対して回動したり、回動部材３１同士が相対的に回動したりすることにより、２つの傾斜カバー部２０に対して平行な向きになって傾斜カバー部２０同士の間に入り込む。
【０１０６】
ここで、このように１つの連結カバー部３０を４つの回動部材３１によって構成した場合、傾斜カバー部２０が開状態のときの傾斜カバー部２０同士の間の方向における１つの回動部材３１の幅は、１つの連結カバー部３０を２つの回動部材３１によって構成した場合における１つの回動部材３１の幅よりも狭くなる。このため、傾斜カバー部２０を折り畳み状態にすることにより、回動部材３１が傾斜カバー部２０に対して平行な向きになった場合における、連結カバー部３０同士の間の方向における回動部材３１の幅は、１つの連結カバー部３０を２つの回動部材３１によって構成した場合における幅よりも狭くなる。
【０１０７】
これにより、１つの連結カバー部３０を４つの回動部材３１によって構成した場合、２つの連結カバー部３０は、傾斜カバー部２０を折り畳み状態にした場合における、他方の連結カバー部３０の方向への突出量が、１つの連結カバー部３０を２つの回動部材３１によって構成した場合における突出量よりも小さくなる。従って、連結カバー部３０は、傾斜カバー部２０を折り畳み状態にした場合に、連結カバー部３０同士が当接し難くなるため、連結カバー部３０同士が当接する場合における切欠きを設ける必要がなくなる。
【０１０８】
つまり、１つの連結カバー部３０を２つの回動部材３１によって構成した場合において、傾斜カバー部２０を折り畳み状態にした場合に、連結カバー部３０同士が当接する際には、当接する部分を切り欠いて、当接を防止する必要があるが、１つの連結カバー部３０を４つの回動部材３１によって構成することにより、そのような切欠きが不要になる。これにより、傾斜カバー部２０を開状態にした場合に、環境光が筐体内部１２に照射されることを、より確実に抑制することができ、媒体Ｐの画像を、より確実に安定した画質で読み取ることができる。また、傾斜カバー部２０を折り畳み状態にした場合に、連結カバー部３０同士が当接し難くなるため、筐体２の小型化を図ることができ、画像読取装置１の携帯性を、より確実に向上させることができる。
【０１０９】
また、筐体２が有する連結カバー部は、複数の回動部材３１が回動自在に連結されること以外によって構成されていてもよい。図２６は、実施形態１に係る画像読取装置の変形例を示す説明図であり、連結カバー部が軟質部材によって構成されている場合の説明図である。連結カバー部１００は、例えば、樹脂材料やゴム材料等の軟質部材によって構成されていてもよい。即ち、連結カバー部１００は、硬質の材料からなる部材を複数組み合わせることによって変形可能にするのではなく、軟質の材料からなり、変形可能な１つの部材によって構成されていてもよい。連結カバー部１００を、このような軟質部材によって構成することにより、２つの傾斜カバー部２０が折り畳み状態のときに、傾斜カバー部２０に対して変形することによって傾斜カバー部２０同士の間に入り込む際には、連結カバー部１００は、折り曲げられることにより、２つの傾斜カバー部２０に対して平行な向きになることができる。
【０１１０】
例えば、２つの傾斜カバー部２０が折り畳み状態のときには、傾斜カバー部２０同士の間の方向における中央付近で連結カバー部１００を折り曲げることにより、連結カバー部１００を傾斜カバー部２０に対して平行な向きにし、傾斜カバー部２０同士の間に入り込ませる。つまり、２つの傾斜カバー部２０が折り畳み状態のときには、連結カバー部１００は、実施形態１に係る画像読取装置１における連結カバー部３０が有する２つの回動部材３１が連結されている部分に該当する部分付近で折り曲げ、傾斜カバー部２０同士の間に入り込ませる。
【０１１１】
このように、連結カバー部１００を軟質部材によって構成することにより、傾斜カバー部２０が開状態と折り畳み状態とで変形し、折り畳み状態のときには傾斜カバー部２０同士の間に入り込む連結カバー部１００を、１つの部材で構成することができる。これにより、部品点数を削減することができると共に、製造時の工数も減らすことができるため、製造コストの低減を図ることができる。
【０１１２】
また、実施形態１に係る画像読取装置１では、筐体２に設けられる光源は、複数の発光素子を帯状に配列した発光モジュールとして構成されているが、光源はこれ以外の形態であってもよい。図２７は、実施形態１に係る画像読取装置の変形例を示す説明図であり、光源を点光源で構成する場合における説明図である。図２８は、図２７のＧ−Ｇ断面図である。筐体２の内面側に配設される光源１１０は、図２７、図２８に示すように、点光源として構成してもよい。即ち、１つの光源１１０は、１つの発光素子によって構成してもよい。光源１１０を点光源として構成する場合も、光源１１０は、第１光源１１１と第２光源１１２とを設け、第１光源１１１は、２つの連結カバー部３０のうち、一方の連結カバー部３０に配設し、第２光源１１２は、２つの連結カバー部３０のうち、他方の連結カバー部３０に配設する。
【０１１３】
これらの第１光源１１１と第２光源１１２とは、１つの連結カバー部３０が有する２つの回動部材３１にそれぞれ配設されている。つまり、第１光源１１１は、当該第１光源１１１が配設される側の連結カバー部３０が有する２つの回動部材３１のそれぞれに配設されており、第２光源１１２は、当該第２光源１１２が配設される側の連結カバー部３０が有する２つの回動部材３１のそれぞれに配設されている。
【０１１４】
第１光源１１１は、開口部１１のうち、第２光源１１２が設けられる連結カバー部３０寄りの位置に光を照射することができるようになっており、第２光源１１２は、開口部１１のうち、第１光源１１１が設けられる連結カバー部３０寄りの位置に光を照射することができるようになっている。これにより、媒体Ｐの読み取り時に、光源１１０から照射した光が媒体Ｐで正反射し、正反射光が撮像部７０に入射する場合でも、第１光源１１１のみを点灯させて撮像した画像と、第２光源１１２のみを点灯させて撮像した画像とを組み合わせることにより、光源１１０の写り込みのない画像を得ることができる。光源１１０を点光源にした場合でも、媒体Ｐを適切に読み取ることができる光量を確保できる場合は、光源１１０はこれらのように点光源によって構成してもよい。
【０１１５】
また、筐体２に設けられる光源は、連結カバー部３０以外に配設されていてもよい。図２９は、実施形態１に係る画像読取装置の変形例を示す説明図であり、光源を回動カバー部に設ける場合における説明図である。図３０は、図２９のＨ−Ｈ断面図である。筐体２の内面側に配設される光源１２０は、例えば、図２９、図３０に示すように、回動カバー部４０に設けてもよい。具体的には、光源１２０は、第１光源１２１と第２光源１２２とを設け、第１光源１２１と第２光源１２２とは、回動カバー部４０の下面側、即ち、回動カバー部４０における筐体２の内面側における両端付近にそれぞれ配設する。つまり、第１光源１２１は、回動カバー部４０の一端側に配設し、第２光源１２２は、回動カバー部４０の他端側に配設する。
【０１１６】
これらの第１光源１２１と第２光源１２２とは、照射方向が異なっており、第１光源１２１は、開口部１１のうち、回動カバー部４０において第２光源１２２が配設されている側の端部側に位置する連結カバー部３０寄りの位置に光を照射することができるようになっている。また、第２光源１２２は、開口部１１のうち、回動カバー部４０において第１光源１２１が配設されている側の端部側に位置する連結カバー部３０寄りの位置に光を照射することができるようになっている。
【０１１７】
このように、第１光源１２１と第２光源１２２とで照射方向を異ならせることにより、光源１２０を回動カバー部４０に設けた場合でも、媒体Ｐの読み取り時には、光源１２０の写り込みのない画像を得ることができる。光源１２０は、これらのように、光源１２０の写り込みのない画像を得ることができる位置であれば、連結カバー部３０以外に配設してもよい。
【０１１８】
また、上述した実施形態１及びその変形例では、光源は２箇所に設けられるものとして説明したが、光源は３箇所以上に設けてもよい。この場合は、撮像部７０が各光源の点灯ごとに開口部１１を介して媒体Ｐを撮像するので、生成される画像データは独立して点灯する光源の数となるが、画像処理部７６は、各画像データのうち写り込みが発生していない領域を抽出して、合成画像データＤＧを生成するのが好ましい。また、上述した実施形態１では、撮像部７０による各撮像時に、複数の光源５０のうち、１つのみが点灯する場合について説明したが、開口部１１における水平面の異なる領域に光を照射することができれば、複数同時に点灯してもよい。また、上述した実施形態１では、接地センサ５５がＯＮである場合は、複数の光源５０を全て点灯する場合について説明したが、接地センサ５５がＯＮである場合は、少なくとも１以上の光源５０が点灯すればよい。
【０１１９】
また、実施形態１に係る画像読取装置１では、電源５６は、一次電池や二次電池等のバッテリーが用いられるものとして説明したが、電源５６は、バッテリー以外のものを用いてもよい。電源５６は、例えば、商用電源、太陽光発電や、外部装置３に搭載されている電源部など、筐体２の外部の電力源から筐体２の各機器に電力が供給されてもよい。
【０１２０】
また、実施形態２に係る画像読取装置８０では、第２傾斜カバー部９０の長さを変更させることができるように構成されているが、長さを変更させるのは第２傾斜カバー部９０ではなくてもよい。開口部１１が位置する側の端部から反対側の端部にかけた方向における長さを変化させることができるように構成するのは、第１傾斜カバー部２１であってもよい。傾斜カバー部２０は、２つの傾斜カバー部２０のうち、少なくともいずれか一方の長さを変化させることができるように構成することにより、画像読取装置８０の携帯性を確保し、より高い画質で画像を読み取ることができるようにすることができる。
【０１２１】
〔実施形態３〕
以下に、本願が開示する実施形態３にかかる画像読取補助装置について、図面を参照して説明する。また、以下の記載においては、同一の構成要素に同一の符号を付与し、重複する説明を省略する。図３１は、実施形態３の画像読取補助装置を示す下面図である。画像読取補助装置２００は、図３１に示されているように、既述の実施形態１に係る画像読取装置１から外部装置３が省略されたものに第１角度保持機構２１１と第２角度保持機構２１２とが設けられている。すなわち、画像読取補助装置２００は、筐体２を備えている。筐体２は、２つの傾斜カバー部２０と２つの連結カバー部３０と回動カバー部４０とを備えている。２つの傾斜カバー部２０は、第１傾斜カバー部２１と第２傾斜カバー部２６とを備えている。第１傾斜カバー部２１は、略矩形状の板状に形成され、撮像用開口部２３が形成されている。撮像用開口部２３は、第１傾斜カバー部２１を貫通している。第２傾斜カバー部２６は、略矩形状の板状に形成され、内側の面にミラー２７が配設されている。
【０１２２】
２つの傾斜カバー部２０は、それぞれ、１辺の縁が回動カバー部４０に沿うように配置されている。２つの傾斜カバー部２０は、さらに、それぞれ、２つの回動軸４１を中心に回転可能に回動カバー部４０に連結されている。より詳細には、２つの回動軸４１は、第１回動軸２０１と第２回動軸２０２とから形成されている。第１傾斜カバー部２１は、第１回動軸２０１を中心に回転可能に回動カバー部４０に連結されている。第２傾斜カバー部２６は、第２回動軸２０２を中心に回転可能に回動カバー部４０に連結されている。第２回動軸２０２は、第１回動軸２０１に平行である。このため、２つの傾斜カバー部２０は、第１傾斜カバー部２１のうちの回動カバー部４０から遠い側の開口部側端部２０９と第２傾斜カバー部２６のうちの回動カバー部４０から遠い側の開口部側端部２１０とが近づいたり遠ざかったりすることができる。
【０１２３】
第１傾斜カバー部２１は、さらに、既述の実施形態１に係る画像読取装置１における第１傾斜カバー部２１と同様にして、図３１に図示されていない外部装置保持部２２がさらに形成されている。外部装置保持部２２は、第１傾斜カバー部２１の外側の表面に配置されている。外部装置保持部２２は、外部装置３の撮像部７０が撮像用開口部２３を介して筐体２の内部を撮像することができるように、外部装置３を第１傾斜カバー部２１の外側の表面に保持する。
【０１２４】
２つの連結カバー部３０は、それぞれ、複数の回動部材３１を備えている。より詳細には、２つの連結カバー部３０は、第１連結カバー部２０３と第２連結カバー部２０４とを備えている。第１連結カバー部２０３は、略二等辺三角形の板状に形成されている。第１連結カバー部２０３は、その二等辺三角形の底辺以外の２つの辺に対応する２つの縁が第１傾斜カバー部２１の１辺の縁と第２傾斜カバー部２６の１辺の縁とにそれぞれ沿うように、配置されている。第２連結カバー部２０４は、略二等辺三角形の板状に形成されている。第２連結カバー部２０４は、その二等辺三角形の底辺以外の２つの辺に対応する２つの縁が、第１傾斜カバー部２１の他の１辺の縁と第２傾斜カバー部２６の他の１辺の縁とにそれぞれ沿うように、配置されている。
【０１２５】
第１連結カバー部２０３は、第１回動部材２０５と第２回動部材２０６とに分割されている。第２連結カバー部２０４は、第３回動部材２０７と第４回動部材２０８とに分割されている。第１角度保持機構２１１は、第１連結カバー部２０３の第１回動部材２０５と第２回動部材２０６とが連結されている領域に配置されている。第２角度保持機構２１２は、第２連結カバー部２０４の第３回動部材２０７と第４回動部材２０８とが連結されている領域に配置されている。
【０１２６】
図３２は、第１回動部材を示す平面図である。第１回動部材２０５は、図３２に示されているように、略直角三角形の板状に形成されている。第１回動部材２０５は、その直角三角形の斜辺に対応する縁に複数の回動連結部３２が設けられ、複数の回動連結部３２を介して、その縁に沿う直線を中心に回転可能に第１傾斜カバー部２１に連結されている。第１回動部材２０５は、第１角度保持機構２１１が設けられている縁に複数の連結部材３５が設けられている。
【０１２７】
第１角度保持機構２１１は、支持部材２１３と磁性体板２１４とを備えている。支持部材２１３は、樹脂製の板状に形成されている。支持部材２１３は、第１回動部材２０５が沿う平面に概ね沿うように、かつ、第１回動部材２０５の複数の連結部材３５が設けられている縁から突出するように、配置され、第１回動部材２０５に固定されている。磁性体板２１４は、鉄に例示される磁性体から形成され、板状に形成されている。磁性体板２１４は、支持部材２１３のうちの筐体２の外側に向いている表面に配置され、支持部材２１３に固定されている。
【０１２８】
図３３は、第２回動部材を示す平面図である。第２回動部材２０６は、図３３に示されているように、略直角三角形の板状に形成されている。第２回動部材２０６は、その直角三角形の斜辺に対応する縁に複数の回動連結部３２が設けられ、複数の回動連結部３２を介して、その縁に沿う直線を中心に回転可能に第２傾斜カバー部２６に連結されている。第２回動部材２０６は、第１角度保持機構２１１が設けられている縁に複数の連結部材３５が設けられている。第２回動部材２０６は、複数の連結部材３５を介して、複数の連結部材３５が設けられている縁に沿う直線を中心に回転可能に第１回動部材２０５に連結されている。
【０１２９】
第１角度保持機構２１１は、さらに、磁石２１５を備えている。磁石２１５は、永久磁石から形成されている。磁石２１５は、第２回動部材２０６のうちの筐体２の内側を向いている表面に配置され、第２回動部材２０６に固定されている。このとき、第１角度保持機構２１１は、磁性体板２１４と磁石２１５とが磁力により密着したときに、第１回動部材２０５と第２回動部材２０６とが同一平面上に沿って配置されるように、形成されている。
【０１３０】
第２連結カバー部２０４の第３回動部材２０７と第４回動部材２０８とは、第１連結カバー部２０３の第１回動部材２０５と第２回動部材２０６と同様にして、形成されている。すなわち、第３回動部材２０７は、回転可能に第１傾斜カバー部２１に連結されている。第４回動部材２０８は、回転可能に第２傾斜カバー部２６に連結されている。第３回動部材２０７と第４回動部材２０８とは、互いに回動可能に連結されている。第２角度保持機構２１２は、第１角度保持機構２１１と同様にして、支持部材と磁性体板と磁石とを備えている。第２角度保持機構２１２は、磁性体板と磁石とが密着したときに、第３回動部材２０７と第４回動部材２０８とが同一平面上に沿って配置されるように、形成されている。
【０１３１】
画像読取補助装置２００は、折り畳み状態と開状態とに切り替え可能になっている。第１連結カバー部２０３は、第１回動部材２０５と第２回動部材２０６とが連結されている部分が筐体２の内側に入り込むように、折り畳まれることが可能である。第２連結カバー部２０４は、第３回動部材２０７と第４回動部材２０８とが連結されている部分が筐体２の内側に入り込むように、折り畳まれることができる。画像読取補助装置２００は、第１連結カバー部２０３と第２連結カバー部２０４とがそれぞれ折り畳まれることにより、第１傾斜カバー部２１の開口部側端部２０９と第２傾斜カバー部２６の開口部側端部２１０とが接近して、折り畳まれることができる。第１傾斜カバー部２１と第２傾斜カバー部２６とは、第１傾斜カバー部２１に沿う平面と第２傾斜カバー部２６に沿う平面とが平行になるように折り畳まれることにより、折り畳み状態に切り替えられる。
【０１３２】
第１連結カバー部２０３は、第１回動部材２０５と第２回動部材２０６との両方が同一平面上に沿うように、広げられることができる。第２連結カバー部２０４は、第３回動部材２０７と第４回動部材２０８との両方が同一平面上に沿うように、広げられることができる。第１傾斜カバー部２１と第２傾斜カバー部２６とは、第１連結カバー部２０３と第２連結カバー部２０４との両方が広げられることにより、第１傾斜カバー部２１の開口部側端部２０９と第２傾斜カバー部２６の開口部側端部２１０とが遠ざかるように、開かれる。第１傾斜カバー部２１と第２傾斜カバー部２６とは、第１傾斜カバー部２１の開口部側端部２０９と第２傾斜カバー部２６の開口部側端部２１０とが所定の距離まで遠ざかることにより、開状態に切り替えられる。
【０１３３】
画像読取補助装置２００は、既述の実施形態１に係る画像読取装置１と同様にして、複数の光源５０と接地センサ５５と電源５６と筐体制御部６０と（図３１に図示されていない）を備えている。
【０１３４】
画像読取補助装置２００は、ユーザーにより携帯される前に、または、ユーザーにより保管される前に、折り畳み状態に切り替えられる。画像読取補助装置２００は、折り畳み状態に切り替えられることにより、開状態に切り替えられた画像読取補助装置２００に比較して、コンパクトになる。このため、画像読取補助装置２００は、折り畳み状態に切り替えられることにより、手軽に持ち運ばれることができ、携帯性が向上する。画像読取補助装置２００は、折り畳み状態に切り替えられることにより、さらに、保管されるスペースを小さくすることができる。
【０１３５】
画像読取補助装置２００は、外部装置３を用いて媒体を読み取る前に、開状態に切り替えられる。第１角度保持機構２１１は、第１連結カバー部２０３が広げられたときに、磁性体板２１４と磁石２１５とが接近する。第１角度保持機構２１１は、磁性体板２１４と磁石２１５とが所定の距離まで接近すると、磁石２１５の磁力で磁性体板２１４と磁石２１５とが密着する。第１角度保持機構２１１は、磁性体板２１４と磁石２１５とが密着することにより、第１回動部材２０５と第２回動部材２０６とが同一平面上に配置されるように、第１回動部材２０５と第２回動部材２０６とを固定する。第１角度保持機構２１１は、第１回動部材２０５と第２回動部材２０６とを同一平面上に固定することにより、第１傾斜カバー部２１の開口部側端部２０９と第２傾斜カバー部２６の開口部側端部２１０とが所定の距離だけ離れるように、保持する。
【０１３６】
第２角度保持機構２１２は、第１角度保持機構２１１と同様にして、第２連結カバー部２０４が広げられたときに、第３回動部材２０７と第４回動部材２０８とが同一平面上に配置されるように、第３回動部材２０７と第４回動部材２０８とを固定する。第２角度保持機構２１２は、第３回動部材２０７と第４回動部材２０８とを同一平面上に固定することにより、第１傾斜カバー部２１の開口部側端部２０９と第２傾斜カバー部２６の開口部側端部２１０とが所定の距離だけ離れるように、保持する。画像読取補助装置２００は、第１角度保持機構２１１と第２角度保持機構２１２とにより、２つの連結カバー部３０と２つの傾斜カバー部２０とがこのように保持されることにより、筐体２に形成される開口部１１（図５および図６参照）が所定の形状に形成される。
【０１３７】
画像読取補助装置２００は、外部装置３の撮像部７０が撮像用開口部２３を介して筐体２の内部を撮像することができるように、外部装置保持部２２により外部装置３が適切に保持される。外部装置３は、画像読取補助装置２００が開状態に切り替えられた場合で、外部装置３が外部装置保持部２２に適切に保持されているときに、図１２に示されている処理手順に従って動作する。画像読取補助装置２００は、外部装置３が動作することにより、図１３に示されている処理手順に従って動作する。このような動作により、外部装置３は、画像読取補助装置２００の開口部１１に配置される媒体Ｐを撮像する。このとき、画像読取補助装置２００は、筐体２に形成される開口部１１が所定の形状に形成されていることにより、開口部１１に配置される媒体Ｐのうちの撮像部７０により撮影される撮影範囲を適切に確保することができる。
【０１３８】
〔比較例の画像読取補助装置〕
図３４は、比較例の画像読取補助装置を示す下面図である。比較例の画像読取補助装置３００は、図３４に示されているように、既述の画像読取補助装置２００から第１角度保持機構２１１と第２角度保持機構２１２とが省略されたものである。画像読取補助装置３００は、第１角度保持機構２１１を備えていないことにより、開状態に切り替えられたときに、第１回動部材２０５と第２回動部材２０６とが同一平面上に配置されないことがある。画像読取補助装置３００は、第１回動部材２０５と第２回動部材２０６とが同一平面上に配置されないことにより、第１連結カバー部２０３の一部（特に第１回動部材２０５と第２回動部材２０６との連結部分）が筐体２の内部に入り込む。画像読取補助装置３００は、第２角度保持機構２１２を備えていないことにより、開状態に切り替えられたときに、第３回動部材２０７と第４回動部材２０８とが同一平面上に配置されないことがある。画像読取補助装置３００は、第３回動部材２０７と第４回動部材２０８とが同一平面上に配置されないことにより、第２連結カバー部２０４の一部（特に第３回動部材２０７と第４回動部材２０８との連結部分）が筐体２の内部に入り込む。画像読取補助装置３００は、第１連結カバー部２０３の一部と第２連結カバー部２０４の一部とが筐体２の内部に入り込んでいることにより、開口部側端部２０９と開口部側端部２１０との間の距離が所定の距離以下になることがある。
【０１３９】
画像読取補助装置３００は、２つの連結カバー部３０の一部が筐体２の内部に入り込んだり、開口部側端部２０９と開口部側端部２１０との間の距離が所定の距離以下になったりすることにより、開口部１１が所定の形状に適切に形成されなくなることがある。画像読取補助装置３００は、開口部１１が所定の形状に形成されないときに、開口部１１に配置される媒体Ｐのうちの撮像部７０により撮影される撮影範囲を適切に確保することができなくなることがある。
【０１４０】
すなわち、本開示の画像読取補助装置２００は、比較例の画像読取補助装置３００に比較して、開口部１１に配置される媒体Ｐのうちの撮像部７０により撮影される撮影範囲をより適切に確保することができる。その結果、画像読取補助装置２００は、開口部１１に配置される媒体Ｐを外部装置３に適切に撮影させることができる。
【０１４１】
〔画像読取補助装置における効果〕
このように、画像読取補助装置２００は、環境光を遮断し、且つ、開口部１１を有する筐体２と、開口部１１に配置される媒体Ｐを撮像する撮像部７０を保持する外部装置保持部２２と、筐体２内部に配置され、媒体Ｐを照明する複数の光源５０とを備えている。筐体２は、開口部１１の辺に対応するカバー部を少なくとも４つ有している。４つのカバー部において互いに対向する２組のカバー部のうち１組のカバー部は、開口部１１が位置する側から反対側の端部側に向かってカバー部同士が近付く方向に傾斜する２つの傾斜カバー部２０になっている。他の１組のカバー部は、２つの傾斜カバー部２０同士を連結する連結カバー部３０になっている。２つの傾斜カバー部２０は、一方の第１傾斜カバー部２１が、開口部１１が位置する側の反対側の端部側を基準として他方の第２傾斜カバー部２６に対して相対的に移動することにより、開状態と折り畳み状態とに切り替え可能になっている。開状態では、２つの傾斜カバー部２０における開口部１１側の開口部側端部２０９と開口部側端部２１０とが離間する。折り畳み状態では、２つの傾斜カバー部２０同士が平行な向きになって隣接する。２つの連結カバー部３０は、２つの傾斜カバー部２０に対して変形自在に連結されており、２つの傾斜カバー部２０が折り畳み状態のときには、２つの傾斜カバー部２０に対して変形する。画像読取補助装置２００は、２つの傾斜カバー部２０が開状態のときに、２つの傾斜カバー部２０における開口部１１側の開口部側端部２０９と開口部側端部２１０とが離間するように２つの傾斜カバー部２０を保持する第１角度保持機構２１１をさらに備えている。
【０１４２】
このため、画像読取補助装置２００は、開状態のときに、２つの傾斜カバー部２０の開口部側端部２０９と開口部側端部２１０とが適切に離間するように、２つの傾斜カバー部２０を保持することにより、開口部１１を適切に形成することができる。画像読取補助装置２００は、開口部１１を適切に形成することにより、撮像部７０により撮像される撮像範囲が所定の領域より小さくならないように、撮像範囲を適切に確保することができる。
【０１４３】
また、２つの連結カバー部３０は、１つの第１連結カバー部２０３が、互いに回動自在に連結される複数の回動部材３１（第１回動部材２０５と第２回動部材２０６と）を有して構成されている。２つの連結カバー部３０は、２つの傾斜カバー部２０が折り畳み状態のときに、複数の回動部材３１同士が相対的に回動することにより、２つの傾斜カバー部２０同士の間に入り込む。複数の回動部材３１は、２つの傾斜カバー部２０が折り畳み状態の際に、２つの傾斜カバー部２０に対して平行な向きになる。このとき、第１角度保持機構２１１は、２つの傾斜カバー部２０が開状態のときに、複数の回動部材３１を互いに固定する。すなわち、第１角度保持機構２１１は、第１回動部材２０５と第２回動部材２０６とを互いに固定することにより、開口部側端部２０９と開口部側端部２１０とが適切に離間するように、２つの傾斜カバー部２０を保持している。画像読取補助装置２００は、第１角度保持機構２１１が第１回動部材２０５と第２回動部材２０６とを互いに固定することにより、さらに、開状態で第１回動部材２０５と第２回動部材２０６とが開口部１１の内部に入り込むことを抑制することができる。その結果、このような画像読取補助装置２００は、開状態で開口部１１が狭められることがなく、撮像部７０により撮影される撮影範囲を適切に確保することができる。
【０１４４】
また、第１角度保持機構２１１は、２つの傾斜カバー部２０が開状態のときに、複数の回動部材３１（第１回動部材２０５と第２回動部材２０６と）が互いに固定されるように複数の回動部材３１に磁力を与える磁石２１５を有している。第１角度保持機構２１１は、第１回動部材２０５と第２回動部材２０６とを固定することに磁力を用いることにより、第１回動部材２０５と第２回動部材２０６とを固定することと、その固定から解放することとを容易に切り替えることができる。このため、画像読取補助装置２００は、さらに、折り畳み状態と開状態とを容易に切り替えることができる。
【０１４５】
２つの連結カバー部３０のうちの他の第２連結カバー部２０４も、互いに回動自在に連結される他の複数の回動部材３１（第３回動部材２０７と第４回動部材２０８と）を有して構成されている。第２連結カバー部２０４は、２つの傾斜カバー部２０が折り畳み状態のときに、２つの傾斜カバー部２０に対して変形することによって２つの傾斜カバー部２０同士の間に入り込む。複数の回動部材３１は、２つの傾斜カバー部２０が折り畳み状態の際に、２つの傾斜カバー部２０に対して平行な向きになる。画像読取補助装置２００は、２つの傾斜カバー部２０が開状態のときに、２つの傾斜カバー部２０における開口部１１側の開口部側端部２０９と開口部側端部２１０とが離間するように２つの傾斜カバー部２０を保持する第２角度保持機構２１２をさらに備えている。第２角度保持機構２１２は、２つの傾斜カバー部２０が開状態のときに、第３回動部材２０７と第４回動部材２０８とを互いに固定することにより、開口部側端部２０９と開口部側端部２１０とが離間するように２つの傾斜カバー部２０を保持する。
【０１４６】
ところで、画像読取補助装置２００は、第１角度保持機構２１１と第２角度保持機構２１２との両方を備えているが、第１角度保持機構２１１と第２角度保持機構２１２とのうちのいずれか一方が省略されてもよい。画像読取補助装置２００は、第１角度保持機構２１１と第２角度保持機構２１２とのうちの一方のみを備えている場合でも、第１連結カバー部２０３または第２連結カバー部２０４を同一平面上に配置させることができる。画像読取補助装置２００は、第１連結カバー部２０３または第２連結カバー部２０４を同一平面上に配置させることにより、開口部側端部２０９と開口部側端部２１０とが離間するように２つの傾斜カバー部２０を保持することができる。
【０１４７】
ところで、画像読取補助装置２００は、折り畳み状態で、第１連結カバー部２０３または第２連結カバー部２０４が筐体２の内側に配置されているが、第１連結カバー部２０３または第２連結カバー部２０４が筐体２の外側に配置されるように形成されてもよい。画像読取補助装置２００は、折り畳み状態で、第１連結カバー部２０３と第２連結カバー部２０４とが外側に配置されるように折り畳まれる場合でも、携帯性を確保することができ、かつ、撮影範囲を確保することができる。
【０１４８】
ところで、第１角度保持機構２１１と第２角度保持機構２１２とは、磁力を用いて第１連結カバー部２０３と第２連結カバー部２０４とを同一平面上に沿うように広げているが、磁力以外の力を用いて広げてもよい。画像読取補助装置２００は、磁力以外の力を用いて第１連結カバー部２０３と第２連結カバー部２０４とを広げた場合でも、撮影範囲を確保することができる。
【０１４９】
ところで、第１角度保持機構２１１と第２角度保持機構２１２とは、既述の実施形態１に係る画像読取装置１から外部装置３が省略されたものに設けられているが、既述の他の画像読取装置から外部装置３が省略されたものに設けられてもよい。このような画像読取装置としては、実施形態２の画像読取装置８０と、図２３および図２４に示されている変形例の画像読取装置と、図２５に示されている変形例の画像読取装置とが例示される。第１角度保持機構２１１と第２角度保持機構２１２とは、さらに、図２７および図２８に示されている変形例の画像読取装置、または、図２９および図３０に示されている変形例の画像読取装置とから外部装置３が省略された画像読取補助装置に設けられてもよい。さらに、第１角度保持機構２１１と第２角度保持機構２１２とは、画像読取装置から外部装置３が省略された画像読取補助装置に設けられているが、外部装置３を備えている画像読取装置に設けられてもよい。第１角度保持機構２１１と第２角度保持機構２１２とが設けられた画像読取装置または画像読取補助装置も、既述の画像読取補助装置２００と同様にして、携帯性を確保し、かつ、外部装置３の撮像部７０の撮影範囲を確保することができる。
【０１５０】
〔実施形態４〕
第１角度保持機構２１１と第２角度保持機構２１２とは、開口部側端部２０９と開口部側端部２１０とが離間するように第１傾斜カバー部２１と第２傾斜カバー部２６とを保持する他の角度保持機構に置換されてもよい。図３５は、実施形態４の画像読取補助装置の角度保持機構を示す斜視図である。角度保持機構２２０は、図３５に示されているように、第１ヒンジアーム２２１と第２ヒンジアーム２２２と第１ヒンジプレート２２３と第２ヒンジプレート２２４と固定部材２２５とを備えている。第１ヒンジアーム２２１は、第１回動軸２０１を中心に回転可能に支持され、図示されていない第１傾斜カバー部２１に固定されている。第２ヒンジアーム２２２は、第２回動軸２０２に回転可能に支持され、図示されていない第２傾斜カバー部２６に固定されている。
【０１５１】
第１ヒンジプレート２２３は、板状に形成されている。第１ヒンジプレート２２３は、第１回動軸２０１と第２回動軸２０２とに直交するように配置され、回動カバー部４０に固定されている。第２ヒンジプレート２２４は、板状に形成されている。第２ヒンジプレート２２４は、２つの回動軸４１に直交するように配置され、第１ヒンジプレート２２３と第２ヒンジプレート２２４との間に第１ヒンジアーム２２１の一部と第２ヒンジアーム２２２の一部とが挟まれるように、配置されている。第２ヒンジプレート２２４は、回動カバー部４０に固定されている。固定部材２２５は、第２ヒンジプレート２２４に第１ヒンジプレート２２３を固定している。
【０１５２】
第１ヒンジプレート２２３は、さらに、第１位置決め穴２２６と第２位置決め穴２２７とが形成されている。第１位置決め穴２２６は、第１回動軸２０１から所定の距離だけ離れた位置に形成され、第１ヒンジプレート２２３のうちの第２ヒンジプレート２２４に対向している面の一部が凹むように形成されている。第２位置決め穴２２７は、第１回動軸２０１から所定の距離だけ離れた位置のうちの第１位置決め穴２２６と異なる位置に形成され、第１ヒンジプレート２２３のうちの第２ヒンジプレート２２４に対向している面の一部が凹むように形成されている。
【０１５３】
図３６は、図３５の角度保持機構２２０を示す断面図である。図３７は、図３５の角度保持機構を示す側面図である。第１ヒンジアーム２２１は、図３６に示されているように、歯車２３１が形成されている。第２ヒンジアーム２２２は、歯車２３２が形成されている。歯車２３２は、歯車２３１に噛み合うように配置されている。歯車２３１と歯車２３２とは、第１ヒンジアーム２２１が第１回動軸２０１を中心に回転するときに、第１ヒンジアーム２２１の回転方向の反対方向に第２ヒンジアーム２２２が第２回動軸２０２を中心に回転するように形成されている。
【０１５４】
角度保持機構２２０は、さらに、位置決めピン２３４を備えている。位置決めピン２３４は、図３７に示されているように、棒状に形成されている。第１ヒンジアーム２２１は、第１ヒンジプレート２２３に対向する面に位置決めピン用穴２３６が形成されている。位置決めピン用穴２３６は、第１回動軸２０１に平行であり、かつ、第１回動軸２０１から所定の距離だけ離れた平行線に沿うように形成されている。
【０１５５】
位置決めピン２３４は、位置決めピン用穴２３６の内部に配置されることにより、第１回動軸２０１に平行に平行移動可能に第１ヒンジアーム２２１に支持されている。角度保持機構２２０は、さらに、付圧バネ２３７を備えている。付圧バネ２３７は、弾性体から形成されている。付圧バネ２３７は、位置決めピン用穴２３６の底と位置決めピン２３４とに挟まれるように、位置決めピン用穴２３６の内部に配置されている。付圧バネ２３７は、位置決めピン用穴２３６の底と位置決めピン２３４とに挟まれることにより、位置決めピン２３４が第１ヒンジプレート２２３の側に移動するように、弾性力を位置決めピン２３４に与えている。
【０１５６】
角度保持機構２２０は、位置決めピン２３４が第１位置決め穴２２６または第２位置決め穴２２７に嵌った状態で、付圧バネ２３７の弾性力が位置決めピン２３４に与えられているときに、所定の力より弱い力で回転しないように第１ヒンジアーム２２１を保持する。角度保持機構２２０は、第１ヒンジアーム２２１が保持されるときに、歯車２３１と歯車２３２とが噛み合っていることにより、回転しないように第２ヒンジアーム２２２が保持される。角度保持機構２２０は、位置決めピン２３４が第１位置決め穴２２６に嵌っているときに、第１ヒンジアーム２２１が所定の力より強い力で回転させられると、位置決めピン２３４が第１位置決め穴２２６から外れる。角度保持機構２２０は、位置決めピン２３４が第２位置決め穴２２７に嵌っているときでも、第１ヒンジアーム２２１が所定の力より強い力で回転させられると、位置決めピン２３４が第２位置決め穴２２７から外れる。
【０１５７】
位置決めピン２３４は、第１位置決め穴２２６または第２位置決め穴２２７から外れているときに、第１ヒンジプレート２２３を摺動することができる。このため、第１ヒンジアーム２２１は、位置決めピン２３４が第１位置決め穴２２６または第２位置決め穴２２７から外れることにより、回転することができるように第１ヒンジアーム２２１の保持と第２ヒンジアーム２２２の保持とが解除される。
【０１５８】
角度保持機構２２０は、実施形態４の画像読取補助装置が開状態に切り替えられているときに、位置決めピン２３４が第１ヒンジプレート２２３の第１位置決め穴２２６に嵌るように形成されている。すなわち、角度保持機構２２０は、第１傾斜カバー部２１の開口部側端部２０９と第２傾斜カバー部２６の開口部側端部２１０とが所定の距離だけ離れるときに、位置決めピン２３４が第１位置決め穴２２６に嵌るように形成されている。
【０１５９】
図３８は、折り畳み状態に切り替えられたときの図３５の角度保持機構を示す斜視図である。角度保持機構２２０は、画像読取補助装置が折り畳み状態に切り替えられているときに、図３８に示されているように、位置決めピン２３４が第１ヒンジプレート２２３の第２位置決め穴２２７に嵌るように形成されている。
【０１６０】
このため、画像読取補助装置は、折り畳み状態に切り替えられているときに、角度保持機構２２０の第１ヒンジアーム２２１と第２ヒンジアーム２２２とが保持されていることにより、回転しないように第１傾斜カバー部２１と第２傾斜カバー部２６とが保持される。画像読取補助装置は、さらに、開状態に切り替えられているときに、角度保持機構２２０の第１ヒンジアーム２２１と第２ヒンジアーム２２２とが保持されていることにより、回転しないように第１傾斜カバー部２１と第２傾斜カバー部２６とが保持される。
【０１６１】
画像読取補助装置は、開状態に切り替えられているときに、角度保持機構２２０により第１傾斜カバー部２１の開口部側端部２０９と第２傾斜カバー部２６の開口部側端部２１０とが所定の距離だけ離れるように、保持される。画像読取補助装置は、第１傾斜カバー部２１の開口部側端部２０９と第２傾斜カバー部２６の開口部側端部２１０とが所定の距離だけ離れることにより、第１連結カバー部２０３の第１回動部材２０５と第２回動部材２０６とが同一平面上に沿うように広げられる。画像読取補助装置は、開口部側端部２０９と開口部側端部２１０とが所定の距離だけ離れることにより、さらに、第２連結カバー部２０４の第３回動部材２０７と第４回動部材２０８とが同一平面上に沿うように広げられる。画像読取補助装置は、第１連結カバー部２０３と第２連結カバー部２０４とが同一平面上に沿うように広げられることにより、第１連結カバー部２０３と第２連結カバー部２０４とが開口部１１の内側に入り込むことを抑制することができる。その結果、このような画像読取補助装置は、開状態で開口部１１が狭められることがなく、撮像部７０により撮影される撮影範囲を適切に確保することができる。
【０１６２】
ところで、角度保持機構２２０は、既述の実施形態１に係る画像読取装置１から外部装置３が省略された画像読取補助装置に設けられているが、既述の他の画像読取装置から外部装置３が省略された画像読取補助装置に設けられてもよい。このような画像読取装置としては、実施形態２の画像読取装置８０と、図２５に示されている変形例の画像読取装置と、図２７および図２８に示されている変形例の画像読取装置、または、図２９および図３０に示されている変形例の画像読取装置が例示される。角度保持機構２２０が設けられた画像読取装置または画像読取補助装置も、既述の実施形態４の画像読取補助装置と同様にして、携帯性を確保し、かつ、外部装置３の撮像部７０の撮影範囲を確保することができる。特に、図２６に示されている変形例の画像読取装置は、連結カバー部１００が軟質部材から形成され、既述の第１角度保持機構２１１と第２角度保持機構２１２とを設けることができないが、角度保持機構２２０を設けることができる。角度保持機構２２０は、軟質部材から形成される連結カバー部１００を画像読取装置が備えている場合でも、開状態で連結カバー部１００を広げることができ、携帯性を確保し、かつ、外部装置３の撮像部７０の撮影範囲を確保することができる。角度保持機構２２０は、さらに、既述の実施形態３の画像読取補助装置２００に追加されてもよい。
【０１６３】
なお、角度保持機構２２０は、既述の第１角度保持機構２１１と第２角度保持機構２１２とより、第１連結カバー部２０３と第２連結カバー部２０４とを同一平面上に広げる力を大きくすることが困難である。このため、既述の第１角度保持機構２１１と第２角度保持機構２１２とは、角度保持機構２２０に比較して、撮影範囲をより適切に確保することができる。
【０１６４】
〔実施形態５〕
図３９は、実施形態５の画像読取補助装置を示す側面図である。画像読取補助装置２５０は、図３９に示されているように、既述の実施形態３に係る画像読取補助装置２００から第１角度保持機構２１１と第２角度保持機構２１２とが省略され、他の角度保持機構２５１とロック機構２５２とが追加されている。角度保持機構２５１は、弾性体から形成されるねじりコイルばねから形成され、筐体２の内部のうちの２つの回動軸４１の近傍に配置されている。角度保持機構２５１は、第１傾斜カバー部２１の開口部側端部２０９と第２傾斜カバー部２６の開口部側端部２１０とが遠ざかるように、第１傾斜カバー部２１と第２傾斜カバー部２６とに弾性力を与えている。
【０１６５】
図４０は、ロック機構２５２を示す下面図である。ロック機構２５２は、図４０に示されているように、ロックプレート２５３とロックピン２５４とを備えている。ロックプレート２５３は、略矩形の板状に形成され、切欠き２５５が形成されている。ロックプレート２５３は、さらに、回転軸２５６を中心に回転可能に第２傾斜カバー部２６に支持されている。回転軸２５６は、第２回動軸２０２に垂直である。ロックピン２５４は、第１傾斜カバー部２１の開口部側端部２０９から２つの回動軸４１より遠い側に突出するように形成されている。ロック機構２５２は、画像読取補助装置２５０が折り畳み状態に切り替えられたときに、ロックプレート２５３が回転軸２５６を中心に回転することにより、ロックピン２５４がロックプレート２５３の切欠き２５５に引っ掛かるように形成されている。第１傾斜カバー部２１と第２傾斜カバー部２６とは、ロックピン２５４がロックプレート２５３の切欠き２５５に引っ掛かることにより、開口部側端部２０９と開口部側端部２１０とが遠ざからないように、ロック機構２５２により保持される。
【０１６６】
このとき、画像読取補助装置２５０は、開口部側端部２０９と開口部側端部２１０とが接近した状態で、ロックピン２５４がロックプレート２５３の切欠き２５５に引っ掛かけられることにより、折り畳み状態に切り替えられる。画像読取補助装置２５０は、折り畳み状態に切り替えられることにより、コンパクトになり、携帯性が向上し、保管されるスペースを小さくすることができる。
【０１６７】
画像読取補助装置２５０は、ロックピン２５４がロックプレート２５３の切欠き２５５から外されると、角度保持機構２５１の弾性力により開口部側端部２０９と開口部側端部２１０とが遠ざかるように、第１傾斜カバー部２１と第２傾斜カバー部２６とが開かれる。画像読取補助装置２５０は、角度保持機構２５１の弾性力により第１傾斜カバー部２１と第２傾斜カバー部２６とが開かれることにより、開状態に切り替えられる。
【０１６８】
画像読取補助装置２５０は、開状態に切り替えられているときに、開口部側端部２０９と開口部側端部２１０とが遠ざかるように、第１傾斜カバー部２１と第２傾斜カバー部２６とに角度保持機構２５１の弾性力が与えられる。このため、第１連結カバー部２０３の第１回動部材２０５と第２回動部材２０６とは、画像読取補助装置２５０が開状態に切り替えられているときに、角度保持機構２５１の弾性力により、同一平面上に沿うように広げられる。第２連結カバー部２０４の第３回動部材２０７と第４回動部材２０８とに関しても、画像読取補助装置２５０が開状態に切り替えられているときに、角度保持機構２５１の弾性力により、同一平面上に沿うように広げられる。
【０１６９】
画像読取補助装置２５０は、第１連結カバー部２０３と第２連結カバー部２０４とが同一平面上に沿うように広げられることにより、第１連結カバー部２０３と第２連結カバー部２０４とが開口部１１の内側に入り込むことを抑制することができる。その結果、画像読取補助装置２５０は、開状態で開口部１１が狭められることがなく、撮像部７０により撮影される撮影範囲を適切に確保することができる。
【０１７０】
ところで、角度保持機構２５１は、既述の実施形態１に係る画像読取装置１から外部装置３が省略された画像読取補助装置に設けられているが、既述の全部の画像読取装置から外部装置３が省略された画像読取補助装置に設けられてもよい。この場合も、角度保持機構２５１は、画像読取装置が開状態であるときに、開口部側端部２０９と開口部側端部２１０とが遠ざかるように２つの傾斜カバー部２０を開くことができ、２つの連結カバー部３０の両方を同一平面上に沿うように広げることができる。このため、このような画像読取補助装置も、外部装置３の撮像部７０の撮影範囲を確保することができる。角度保持機構２５１は、さらに、既述の実施形態３の画像読取補助装置２００に追加されてもよく、既述の実施形態４の画像読取補助装置に追加されてもよい。
【符号の説明】
【０１７１】
１、８０  画像読取装置
２  筐体
３  外部装置
１０  底面
１１  開口部
１２  筐体内部
１５  カバー部
２０  傾斜カバー部
２１  第１傾斜カバー部
２３  撮像用開口部
２６、９０  第２傾斜カバー部
２７  ミラー
３０、１００  連結カバー部
３１  回動部材
３５  連結部材
４０  回動カバー部
４１  回動軸
５０、１１０、１２０  光源
５１、１１１、１２１  第１光源
５２、１１２、１２２  第２光源
５５  接地センサ
５６  電源
６０  筐体制御部
６１  光源制御部
６２  通信部
７０  撮像部
７１  表示部
７５  撮像制御部
７６  画像処理部
７７  通信部
９１  ベース部
９５  スライド部
２００  画像読取補助装置
２０３  第１連結カバー部
２０４  第２連結カバー部
２１１  第１角度保持機構
２１２  第２角度保持機構
２１３  支持部材
２１４  磁性体板
２１５  磁石
２２０  角度保持機構
２２１  第１ヒンジアーム
２２２  第２ヒンジアーム
２２３  第１ヒンジプレート
２２４  第２ヒンジプレート
２２５  固定部材
２２６  第１位置決め穴
２２７  第２位置決め穴
２３１  歯車
２３２  歯車
２３４  位置決めピン
２３６  位置決めピン用穴
２３７  付圧バネ
２５０  画像読取補助装置
２５１  角度保持機構
２５２  ロック機構
２５３  ロックプレート
２５４  ロックピン
２５５  切欠き
２５６  回転軸
３００  画像読取補助装置
【図１】
2017138510.tif 000003
【図２】
2017138510.tif 000004
【図３】
2017138510.tif 000005
【図４】
2017138510.tif 000006
【図５】
2017138510.tif 000007
【図６】
2017138510.tif 000008
【図７】
2017138510.tif 000009
【図８】
2017138510.tif 000010
【図９】
2017138510.tif 000011
【図１０】
2017138510.tif 000012
【図１１】
2017138510.tif 000013
【図１２】
2017138510.tif 000014
【図１３】
2017138510.tif 000015
【図１４】
2017138510.tif 000016
【図１５】
2017138510.tif 000017
【図１６】
2017138510.tif 000018
【図１７】
2017138510.tif 000019
【図１８】
2017138510.tif 000020
【図１９】
2017138510.tif 000021
【図２０】
2017138510.tif 000022
【図２１】
2017138510.tif 000023
【図２２】
2017138510.tif 000024
【図２３】
2017138510.tif 000025
【図２４】
2017138510.tif 000026
【図２５】
2017138510.tif 000027
【図２６】
2017138510.tif 000028
【図２７】
2017138510.tif 000029
【図２８】
2017138510.tif 000030
【図２９】
2017138510.tif 000031
【図３０】
2017138510.tif 000032
【図３１】
2017138510.tif 000033
【図３２】
2017138510.tif 000034
【図３３】
2017138510.tif 000035
【図３４】
2017138510.tif 000036
【図３５】
2017138510.tif 000037
【図３６】
2017138510.tif 000038
【図３７】
2017138510.tif 000039
【図３８】
2017138510.tif 000040
【図３９】
2017138510.tif 000041
【図４０】
2017138510.tif 000042
【手続補正書】
【提出日】平成29年4月25日(2017.4.25)
【手続補正１】
【補正対象書類名】特許請求の範囲
【補正対象項目名】全文
【補正方法】変更
【補正の内容】
【特許請求の範囲】
【請求項１】
環境光を遮断し、且つ、開口部を有する筐体と、
前記開口部に配置される媒体を撮像する撮像部を保持する外部装置保持部と、
前記筐体内部に配置され、前記媒体を照明する複数の光源と、
を備え、
前記筐体は、前記開口部の辺に対応するカバー部を少なくとも４つ有すると共に、４つの前記カバー部において互いに対向する２組の前記カバー部のうち１組の前記カバー部は、前記開口部が位置する側から反対側の端部側に向かって前記カバー部同士が近付く方向に傾斜する傾斜カバー部になっており、
他の１組の前記カバー部は、２つの前記傾斜カバー部同士を連結する連結カバー部になっており、
２つの前記傾斜カバー部は、一方の前記傾斜カバー部が、前記開口部が位置する側の反対側の端部側を基準として他方の前記傾斜カバー部に対して相対的に移動することにより、双方の前記傾斜カバー部における前記開口部側の端部が離間する開状態と、双方の前記傾斜カバー部同士が平行な向きになって隣接する折り畳み状態とに切り替え可能になっており、
２つの前記連結カバー部は、前記傾斜カバー部に対して変形自在に連結されており、２つの前記傾斜カバー部が前記折り畳み状態のときには、前記傾斜カバー部に対して変形し、
２つの前記傾斜カバー部が前記開状態のときに、双方の前記傾斜カバー部における前記開口部側の端部が離間するように双方の前記傾斜カバー部を保持する角度保持機構
をさらに備えることを特徴とする画像読取補助装置。
【請求項２】
前記連結カバー部は、１つの前記連結カバー部が、互いに回動自在に連結される複数の回動部材を有して構成されており、２つの前記傾斜カバー部が折り畳み状態のときに前記傾斜カバー部に対して変形することによって前記傾斜カバー部同士の間に入り込む際には、前記回動部材同士が相対的に回動することにより、２つの前記傾斜カバー部に対して平行な向きになり、
前記角度保持機構は、２つの前記傾斜カバー部が前記開状態のときに、前記複数の回動部材を互いに固定する請求項１に記載の画像読取補助装置。
【請求項３】
前記角度保持機構は、２つの前記傾斜カバー部が前記開状態のときに、前記複数の回動部材が互いに固定されるように前記複数の回動部材に磁力を与える磁石を有する請求項２に記載の画像読取補助装置。
【請求項４】
２つの前記連結カバー部のうちの他の前記連結カバー部は、互いに回動自在に連結される他の複数の回動部材を有して構成されており、２つの前記傾斜カバー部が折り畳み状態のときに、前記傾斜カバー部に対して変形することによって前記傾斜カバー部同士の間に入り込む際には、前記他の複数の回動部材同士が相対的に回動することにより、２つの前記傾斜カバー部に対して平行な向きになり、
２つの前記傾斜カバー部が前記開状態のときに、前記他の複数の回動部材を互いに固定することにより、双方の前記傾斜カバー部における前記開口部側の端部が離間するように双方の前記傾斜カバー部を保持する他の角度保持機構
をさらに備える請求項２または請求項３に記載の画像読取補助装置。
【手続補正３】
【補正対象書類名】明細書
【補正対象項目名】０００６
【補正方法】変更
【補正の内容】
【０００６】
開示の態様では、画像読取補助装置は、環境光を遮断し、且つ、開口部を有する筐体と、前記開口部に配置される媒体を撮像する撮像部を保持する外部装置保持部と、前記筐体内部に配置され、前記媒体を照明する複数の光源と、を備え、前記筐体は、前記開口部の辺に対応するカバー部を少なくとも４つ有すると共に、４つの前記カバー部において互いに対向する２組の前記カバー部のうち１組の前記カバー部は、前記開口部が位置する側から反対側の端部側に向かって前記カバー部同士が近付く方向に傾斜する傾斜カバー部になっており、他の１組の前記カバー部は、２つの前記傾斜カバー部同士を連結する連結カバー部になっており、２つの前記傾斜カバー部は、一方の前記傾斜カバー部が、前記開口部が位置する側の反対側の端部側を基準として他方の前記傾斜カバー部に対して相対的に移動することにより、双方の前記傾斜カバー部における前記開口部側の端部が離間する開状態と、双方の前記傾斜カバー部同士が平行な向きになって隣接する折り畳み状態とに切り替え可能になっており、２つの前記連結カバー部は、前記傾斜カバー部に対して変形自在に連結されており、２つの前記傾斜カバー部が前記折り畳み状態のときには、前記傾斜カバー部に対して変形し、２つの前記傾斜カバー部が前記開状態のときに、双方の前記傾斜カバー部における前記開口部側の端部が離間するように双方の前記傾斜カバー部を保持する角度保持機構をさらに備えている。